(57)【要約】  少なくとも第１および第２のアンテナと、少なくとも１つのプロセッサとを含むワイヤレスデバイスは、第１のアンテナだけで第１のワイヤレスシステム（ＴＤ−ＳＣＤＭＡ、ＧＳＭ、ＴＤＤ−ＬＴＥ）から受信される信号を処理し、受信ダイバーシティを使用して、第１および第２のアンテナで第２のワイヤレスシステム（ＦＤＤ、ＣＤＭＡ、ＷＣＤＭＡ、ＬＴＥ、ＴＤＭＡ）から受信される信号を処理することができる。いくつかの態様によれば、デバイスは、第２のアンテナだけで第１のワイヤレスシステムから送信される信号を処理することができる。
2014509496.tif 000002
【特許請求の範囲】
【請求項１】
少なくとも第１および第２のアンテナと、
前記第１のアンテナだけで第１のワイヤレスシステムから受信される信号を処理し、
受信ダイバーシティを使用して前記第１および第２のアンテナで第２のワイヤレスシステムから受信される信号を処理する
ための少なくとも１つのプロセッサと
を備えるワイヤレスデバイス。
【請求項２】
前記第２のアンテナだけで前記第１のワイヤレスシステムから送信される信号を処理すること
をさらに備える、請求項１に記載のワイヤレスデバイス。
【請求項３】
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、請求項１に記載のワイヤレスデバイス。
【請求項４】
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、請求項１に記載のワイヤレスデバイス。
【請求項５】
前記ワイヤレスデバイスの動作モードに基づいて前記第１および第２のワイヤレスシステムの前記受信経路を選択的に完了するために、前記第１のアンテナに結合された第１のスイッチと、前記第２のアンテナに結合された第２のスイッチとをさらに備える、請求項１に記載のワイヤレスデバイス。
【請求項６】
前記ワイヤレスデバイスが、前記第２のワイヤレスシステムから受信される信号を処理するとき、第１のモードで動作するように構成され、
前記ワイヤレスデバイスが、前記第２のアンテナにおける受信のために選択されたフィルタ経路と同じ周波数帯域に対応する前記第１のアンテナにおける受信のためのフィルタ経路を選択するように構成される、
請求項１に記載のワイヤレスデバイス。
【請求項７】
前記ワイヤレスデバイスが、前記第１のワイヤレスシステムから受信される信号を処理するとき、第２のモードに切り替えるように構成される、請求項６に記載のワイヤレスデバイス。
【請求項８】
前記ワイヤレスデバイスが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ように構成される、請求項７に記載のワイヤレスデバイス。
【請求項９】
前記第１および第２のアンテナモジュールが各々、少なくとも１つのスイッチと、異なる周波数帯域に対応する複数のフィルタとを備える、請求項８に記載のワイヤレスデバイス。
【請求項１０】
少なくとも第１および第２のアンテナと、
前記第１のアンテナだけで第１のワイヤレスシステムから受信される信号を処理するための手段と、
受信ダイバーシティを使用して前記第１および第２のアンテナで第２のワイヤレスシステムから受信される信号を処理するための手段と
を備えるワイヤレスデバイス。
【請求項１１】
前記第２のアンテナだけで前記第１のワイヤレスシステムから送信される信号を処理するための手段
をさらに備える、請求項１０に記載のワイヤレスデバイス。
【請求項１２】
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、請求項１０に記載のワイヤレスデバイス。
【請求項１３】
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、請求項１０に記載のワイヤレスデバイス。
【請求項１４】
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了するための手段とをさらに備える、請求項１０に記載のワイヤレスデバイス。
【請求項１５】
前記第２のワイヤレスシステムから受信される信号を処理するとき、第１のモードで動作するための手段と、
前記第２のアンテナにおける受信のために選択されたフィルタ経路と同じ周波数帯域に対応する前記第１のアンテナにおける受信のためのフィルタ経路を選択するための手段と
をさらに備える、請求項１０に記載のワイヤレスデバイス。
【請求項１６】
前記第１のワイヤレスシステムから受信される信号を処理するとき、第２のモードに切り替えるための手段
をさらに備える、請求項１５に記載のワイヤレスデバイス。
【請求項１７】
前記第１のモードで、前記第１のアンテナに結合された第１のアンテナモジュールにおける第１のスイッチ、および前記第２のアンテナに結合された第２のアンテナモジュールにおける第２のスイッチを利用するための手段と、
前記第２のモードで、前記第１のモードとは異なる方法で、前記第１のアンテナモジュールにおける前記第１のスイッチを利用するための手段と
をさらに備える、請求項１６に記載のワイヤレスデバイス。
【請求項１８】
前記第１および第２のアンテナモジュールが各々、少なくとも１つのスイッチと、異なる周波数帯域に対応する複数のフィルタとを備える、請求項１７に記載のワイヤレスデバイス。
【請求項１９】
少なくとも第１および第２のアンテナと、
前記第１のアンテナだけで第１のワイヤレスシステムから受信される信号を処理し、
受信ダイバーシティを使用して前記第１および第２のアンテナで第２のワイヤレスシステムから受信される信号を処理する
ように構成される無線周波数（ＲＦ）ユニットと
を備えるユーザ機器。
【請求項２０】
前記ＲＦユニットが、
前記第２のアンテナだけで前記第１のワイヤレスシステムから送信される信号を処理する
ようにさらに構成される、請求項１９に記載のユーザ機器。
【請求項２１】
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、請求項１９に記載のユーザ機器。
【請求項２２】
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、請求項１９に記載のユーザ機器。
【請求項２３】
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了することとをさらに備える、請求項１９に記載のユーザ機器。
【請求項２４】
前記ＲＦユニットが、
第１のモードにおいて前記第２のワイヤレスシステムから受信される信号を処理し、
前記第２のアンテナにおける受信のために選択されたフィルタ経路と同じ周波数帯域に対応する前記第１のアンテナにおける受信のためのフィルタ経路を選択する
ように構成される、請求項１９に記載のユーザ機器。
【請求項２５】
前記ＲＦユニットが、
前記第１のワイヤレスシステムから受信される信号を処理するとき、第２のモードに切り替える
ようにさらに構成される、請求項２４に記載のユーザ機器。
【請求項２６】
前記ＲＦユニットが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ようにさらに構成される、請求項２５に記載のユーザ機器。
【請求項２７】
前記第１および第２のアンテナモジュールが各々、少なくとも１つのスイッチと、異なる周波数帯域に対応する複数のフィルタとを備える、請求項２６に記載のユーザ機器。
【発明の詳細な説明】
【技術分野】
【０００１】
関連出願の相互参照
本出願は、その全体が参照により本明細書に組み込まれる、２０１１年２月７日に出願された米国仮特許出願第６１／４４０，３３０号の利益を主張する。
【０００２】
本発明は、一般に電子機器に関し、より詳細には、ワイヤレスデバイスに適した送信機／受信機（トランシーバ）システムに関する。
【背景技術】
【０００３】
ワイヤレス通信システムは、音声、データなど、様々な通信サービスを提供するために広く展開されている。これらのワイヤレスシステムは、符号分割多元接続（ＣＤＭＡ）、時分割多元接続（ＴＤＭＡ）、周波数分割多元接続（ＦＤＭＡ）または、何らかの他の多元接続技法に基づき得る。ワイヤレスシステムは、たとえばＩＳ−２０００、ＩＳ−８５６、ＩＳ−９５など、３ＧＰＰ２として知られるコンソーシアムによって採用される１つまたは複数の規格を実装し得る。ワイヤレスシステムは、たとえばＧｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｗｉｄｅｂａｎｄ−ＣＤＭＡ（Ｗ−ＣＤＭＡ（登録商標））など、３ＧＰＰとして知られるコンソーシアムによって採用される１つまたは複数の規格を実装することもできる。ＩＳ−２０００およびＷ−ＣＤＭＡは、ＣＤＭＡのための第３世代の規格である。ＩＳ−９５およびＧＳＭは、それぞれ、ＣＤＭＡおよびＴＤＭＡのための第２世代の規格である。これらの規格は当技術分野でよく知られている。
【０００４】
ワイヤレス通信デバイス（たとえば、携帯電話）は、ワイヤレスシステムとの双方向通信を得るために、トランシーバシステムを利用する。トランシーバシステムは、データ送信のための送信機と、データ受信のための受信機とを含む。送信経路では、送信機は、送信により適したＲＦ変調信号を生成するために送られるデータで無線周波数（ＲＦ）キャリア信号を変調する。送信機は、ＲＦ変調信号をさらに調整して、ＲＦアップリンク信号を生成し、次いで、ＲＦアップリンク信号を、ワイヤレスチャネルを介して、ワイヤレスシステムにおける１つまたは複数の基地局に送信する。受信経路では、受信機は、１つまたは複数の基地局から１つまたは複数のＲＦダウンリンク信号を受信し、基地局によって送られるデータを取得するために、受信信号を調整し、処理する。
【０００５】
ワイヤレスシステムは、１つまたは複数の周波数帯域において動作することができ、トランシーバは、ワイヤレスシステムによって使用される周波数帯域ごとに送信信号経路および受信信号経路を有し得る。したがって、複数の周波数帯域がワイヤレスシステムによって使用される場合、トランシーバは、多くの信号経路を有することができる。ワイヤレスシステムは、異なる時間間隔で送信および受信する、たとえばＧＳＭシステムなどの時分割複信（ＴＤＤ）システムとすることができる。この場合、ワイヤレスデバイスのアンテナに、任意の瞬間において、信号経路のうちの１つを結合するために、送信／受信（Ｔ／Ｒ）スイッチが使用され得る。Ｔ／Ｒスイッチは、（スイッチ上の単極に対応する）アンテナの１つの共通のＲＦポートと、（スイッチ上の投に対応する）信号経路ごとの１つの入出力（Ｉ／Ｏ）ＲＦポートとを有する。たとえば、単極４投（ＳＰ４Ｔ）Ｔ／Ｒスイッチは、２つの送信経路および２つの受信経路を有するデュアルバンドＧＳＭトランシーバにおいて使用され得る。より多くの周波数帯域をサポートするために信号経路の数が増加するにつれて、より多くのＩ／Ｏ  ＲＦポートがＴ／Ｒスイッチに必要とされる。Ｉ／Ｏ  ＲＦポートの数が増加するにつれて、Ｔ／Ｒスイッチの設計はより複雑になり、性能は低下する。
【０００６】
マルチモードワイヤレスデバイス（たとえば、デュアルモード携帯電話）は、複数のワイヤレスシステム（たとえば、ＧＳＭおよびＣＤＭＡシステム）と通信することができ得る。この機能によって、マルチモードデバイスは、より多くのシステムから通信サービスを受信し、これらのシステムによって提供されるより大きいカバレージを享受することができる。マルチモードトランシーバは、ワイヤレスシステムのすべてによって使用される周波数帯域のすべてをサポートするために、多くの信号経路を有することができる。これらの信号経路のすべてをアンテナに相互接続することは、多くのＩ／Ｏ  ＲＦポートを有する複雑なＴ／Ｒスイッチを必要とし得る。
【０００７】
したがって、当技術分野では、複数のワイヤレスシステムのための複数の周波数帯域をサポートし、複雑さを低減することができるトランシーバシステムが必要である。
【発明の概要】
【０００８】
本開示の態様によれば、ダイバーシティ受信機経路は、時間二重受信機と共有され得る。ワイヤレスデバイスは、少なくとも第１および第２のアンテナと、少なくとも１つのプロセッサとを備えることができる。少なくとも１つのプロセッサは、第１のアンテナだけで第１のワイヤレスシステムから受信される信号を処理し、受信ダイバーシティを使用して第１および第２のアンテナで第２のワイヤレスシステムから受信される信号を処理するために使用され得る。いくつかの態様によれば、ワイヤレスデバイスは、第２のアンテナだけで第１のワイヤレスシステムから送信される信号を処理することができる。
【０００９】
本開示の態様によれば、ワイヤレスデバイスは、少なくとも第１および第２のアンテナと、第１のアンテナだけで第１のワイヤレスシステムから受信される信号を処理するための手段と、受信ダイバーシティを使用して第１および第２のアンテナで第２のワイヤレスシステムから受信される信号を処理するための手段とを備え得る。
【００１０】
本開示の態様によれば、ユーザ機器は、少なくとも第１および第２のアンテナと、無線周波数（ＲＦ）ユニットとを備え得る。ＲＦユニットは、第１のアンテナだけで第１のワイヤレスシステムから受信される信号を処理し、受信ダイバーシティを使用して第１および第２のアンテナで第２のワイヤレスシステムから受信される信号を処理するように構成され得る。
【００１１】
本発明の様々な態様および実施形態について以下でさらに詳細に説明する。
【００１２】
本発明の特徴および性質は、以下に記載する詳細な説明を、同様の参照符号が全体を通じて対応して識別する図面とともに読めばより明らかになろう。
【図面の簡単な説明】
【００１３】
【図１】複数のワイヤレス通信ネットワークと通信することが可能なマルチアンテナワイヤレス通信デバイスの図。
【図２】ＧＳＭのための２つの周波数帯域と、ＣＤＭＡのためのＲＸダイバーシティを有する単一の周波数帯域とをサポートする二重アンテナワイヤレスデバイスの図。
【図３】ＧＳＭのための４つの周波数帯域と、ＣＤＭＡのためのＲＸダイバーシティを有する単一の周波数帯域とをサポートする二重アンテナワイヤレスデバイスの図。
【図４】ＧＳＭのための４つの周波数帯域と、ＣＤＭＡのためのＲＸダイバーシティを有する２つの周波数帯域とをサポートする二重アンテナワイヤレスデバイスの図。
【図５】ＧＳＭのための単一の周波数帯域と、ＣＤＭＡのための単一の周波数帯域とをサポートする二重アンテナワイヤレスデバイスの図。
【図６】ＧＳＭのための２つの周波数帯域と、ＣＤＭＡのためのＲＸダイバーシティを有する単一の周波数帯域と、ＧＰＳとをサポートする三重アンテナワイヤレスデバイスの図。
【図７Ａ】直接変換アーキテクチャを利用する復調器の図。
【図７Ｂ】直接変換アーキテクチャを利用する変調器の図。
【図８】本開示の態様による時間二重受信機と共有されるダイバーシティ受信機経路をサポートする二重アンテナワイヤレスデバイスの図。
【図９】本開示の態様によるアンテナモジュールを有する二重アンテナワイヤレスデバイスの図。
【図１０】本開示の態様による半二重送信機および受信機が第１および第２のアンテナの間で分割されるアンテナモジュールを有する二重アンテナワイヤレスデバイスの図。
【発明を実施するための形態】
【００１４】
「例示的」という単語は、本明細書では、「例、事例、または例示の働きをすること」を意味するために使用する。「例示的」として本明細書で説明するいかなる実施形態または設計も、必ずしも他の実施形態または設計よりも好ましいまたは有利なものと解釈すべきではない。
【００１５】
図１は、複数のワイヤレス通信ネットワーク１２０および１２２と通信することが可能なマルチアンテナワイヤレス通信デバイス１１０を示す。ワイヤレスシステム１２０は、たとえば、（通常ＣＤＭＡ  １ｘと呼ばれる）ＩＳ−２０００、（通常ＣＤＭＡ  １ｘ  ＥＶ−ＤＯと呼ばれる）ＩＳ−８５６、ＩＳ−９５、Ｗ−ＣＤＭＡなど、１つまたは複数のＣＤＭＡ規格を実装することができるＣＤＭＡシステムとすることができる。ワイヤレスシステム１２０は、ベーストランシーバシステム（ＢＴＳ）１３０と移動交換センター（ＭＳＣ）１４０とを含む。ＢＴＳ１３０は、そのカバレージエリアのもとで、ワイヤレスデバイスに無線通信を提供する。ＭＳＣ１４０は、ワイヤレスシステム１２０内のＢＴＳに結合し、これらのＢＴＳのための調整および制御を行う。ワイヤレスシステム１２２は、たとえばＧＳＭなど、１つまたは複数のＴＤＭＡ規格を実装することができるＴＤＭＡシステムとすることができる。ワイヤレスシステム１２２は、ノードＢ１３２と無線ネットワークコントローラ（ＲＮＣ）１４２とを含む。ノードＢ１３２は、そのカバレージエリアのもとで、ワイヤレスデバイスに無線通信を提供する。ＲＮＣ１４２は、ワイヤレスシステム１２２内のノードＢに結合し、これらのノードＢのための調整および制御を行う。一般に、ＢＴＳ１３０およびノードＢ１３２は、ワイヤレスデバイスのための通信カバレージを提供する固定局であり、基地局または何らかの他の用語で呼ばれることもある。ＭＳＣ１４０およびＲＮＣ１４２は、基地局のための調整および制御を行うネットワークエンティティであり、何らかの他の用語で呼ばれることもある。
【００１６】
ワイヤレスデバイス１１０は、携帯電話、携帯情報端末（ＰＤＡ）、ワイヤレス対応コンピュータ、あるいは何らかの他のワイヤレス通信ユニットまたはデバイスとすることができる。ワイヤレスデバイス１１０は、移動局（３ＧＰＰ２用語）、ユーザ装置（ＵＥ）（３ＧＰＰ用語）、アクセス端末、または何らかの他の用語で呼ばれることもある。ワイヤレスデバイス１１０は、複数のアンテナ、たとえば、１つの外部アンテナと１つまたは複数の内部アンテナとを装備する。複数のアンテナを使用して、フェージング、マルチパス、干渉など、経路の悪影響に対してダイバーシティを提供することができる。送信エンティティのアンテナから送信されたＲＦ変調信号は、見通し内経路および／または反射経路を介してワイヤレスデバイス１１０の複数のアンテナに到達することができる。一般に、ワイヤレスデバイス１１０における送信アンテナと各受信アンテナとの間には少なくとも１つの伝搬経路が存在する。一般に少なくともある程度当てはまるように、異なる受信アンテナ用の伝搬経路が独立している場合、複数のアンテナを使用してＲＦ変調信号を受信すると、ダイバーシティは増大し、受信信号品質は向上する。
【００１７】
ワイヤレスデバイス１１０は、衛星１５０から信号を受信することが可能であっても、可能でなくてもよい。衛星１５０は、よく知られている全地球測位システム（ＧＰＳ）、ヨーロッパのＧａｌｉｌｅｏシステム、または何らかの他のシステムなどの衛星測位システムに属することができる。各ＧＰＳ衛星は、地球上のＧＰＳ受信機がＧＰＳ信号の到着時間（ＴＯＡ）を測定できるようにする情報で符号化されたＧＰＳ信号を送信する。十分な数のＧＰＳ衛星の測定値を使用して、ＧＰＳ受信機の正確な３次元位置推定値を得ることができる。
【００１８】
一般に、マルチアンテナワイヤレスデバイス１１０は、様々なワイヤレス技術（たとえば、ＣＤＭＡ、ＧＳＭ、ＧＰＳなど）の任意の数のワイヤレスシステムと通信することが可能である。明快のために、以下の説明は、ＣＤＭＡシステムおよびＧＳＭシステムと通信することができるマルチモードワイヤレスデバイスのためのものである。ワイヤレスデバイス１１０は、任意の瞬間において、０、１つ、または複数の送信エンティティから信号を受信することができ、送信エンティティは、基地局または衛星とすることができる。マルチアンテナワイヤレスデバイス１１０では、たとえ異なる振幅および／または位相でも、各送信エンティティからの信号は、ワイヤレスデバイスの複数のアンテナの各々によって受信される。
【００１９】
ワイヤレスシステム１２０および１２２は、様々な周波数帯域において動作し得る。表１は、一般的に使用される周波数帯域とならびにＧＰＳ周波数帯域を列挙する。ＧＰＳの周波数帯域を除いて、表１に示される各周波数帯域では、ある周波数範囲は基地局からワイヤレスデバイスへのダウンリンク（すなわち、順方向リンク）に使用され、別の周波数範囲はワイヤレスデバイスから基地局へのアップリンク（すなわち、逆方向リンク）に使用される。一例として、ＧＳＭ８５０／セルラー帯域では、８２４から８４９ＭＨｚの範囲はアップリンクに使用され、８６９から８９４ＭＨｚの範囲はダウンリンクに使用される。
【表１】
2014509496.tif 000003
【００２０】
ワイヤレスシステム１２０および１２２は、表１に列挙されていない他の周波数帯域において動作することができる。
【００２１】
ワイヤレスデバイス１１０は、ワイヤレスシステム１２０および１２２の各々について、１つまたは複数の周波数帯域をサポートするように設計され得る。ワイヤレスデバイス１１０は、一般的に、一度に１つのワイヤレスシステムと、そのワイヤレスシステムのためにサポートされた周波数帯域のうちの１つにおいて通信する。ワイヤレスデバイス１１０の様々な実施形態について以下で説明する。
【００２２】
図２は、ワイヤレスデバイス１１０のうちの１つである二重アンテナワイヤレスデバイス１１０ａのブロック図を示す。ワイヤレスデバイス１１０ａは、ＣＤＭＡのためのＲＸダイバーシティを有する単一の周波数帯域と、ＧＳＭのための２つの周波数帯域とをサポートするトランシーバシステム２１０ａを含む。単一のＣＤＭＡ帯域は、たとえば、ＰＣＳまたはセルラーであり得る。２つのＧＳＭ帯域は、たとえば、ＧＳＭ１８００およびＧＳＭ９００（ヨーロッパにおいて一般に使用される）、またはＧＳＭ１９００およびＧＳＭ８５０（米国において一般に使用される）であり得る。単一のＣＤＭＡ帯域は、ＣＤＭＡ送信帯域（ＣＤＭＡ  ＴＸ）とＣＤＭＡ受信帯域（ＣＤＭＡ  ＲＸ）とを含む。二重ＧＳＭ帯域は、第１および第２のＧＳＭ送信帯域（ＧＳＭ  ＴＸ１およびＴＸ２）と、第１および第２のＧＳＭ受信帯域（ＧＳＭ  ＲＸ１およびＲＸ２）とを含む。二重ＧＳＭ帯域設計によって、ワイヤレスデバイス１１０ａは、より多くのＧＳＭシステムと通信することができ、ローミング能力を強化する。
【００２３】
トランシーバシステム２１０ａは、主アンテナ２０２（外部アンテナでもよい）に結合する第１のセクション２１２ａと、ダイバーシティアンテナ２０４（内部アンテナでもよい）に結合する第２のセクション２１４ａと、第１および第２のセクションに結合するＲＦユニット２５０ａとを含む。第１のセクション２１２ａは、両方のＧＳＭ帯域のための単一のＧＳＭ送信経路と、第１のＧＳＭ帯域のための第１のＧＳＭ受信経路と、ＣＤＭＡのための送信経路および主受信経路とを含む。第２のセクション２１４ａは、第２のＧＳＭ帯域のための第２のＧＳＭ受信経路と、ＣＤＭＡのためのダイバーシティ受信経路とを含む。ＲＦユニット２５０ａは、セクション２１２ａおよび２１４ａのために信号を調整する。
【００２４】
第１のセクション２１２ａ内で、単極３投（ＳＰ３Ｔ）Ｔ／Ｒスイッチ２２０ａは、主アンテナ２０２に結合された１つの（単極のための）共通のＲＦポートと、ＧＳＭ送信経路、第１のＧＳＭ受信経路、およびＣＤＭＡ送信／主受信経路のためのデュプレクサ２３２ａとに結合された（３投のための）３つのＩ／Ｏ  ＲＦポートとを有する。ＧＳＭ送信経路のためのＲＦポートは入力ＲＦポートであり、ＣＤＭＡ送信／受信経路のためのＲＦポートは双方向ＲＦポートである。Ｔ／Ｒスイッチ２２０ａは、共通のＲＦポートを、単一ビットまたはマルチビット信号とすることができる制御信号（Ｃｔｒｌ）に基づいて、所与の瞬間に、３つのＩ／Ｏ  ＲＦポートのうちの１つに結合する。ＴＤＤシステムであるＧＳＭでは、アップリンクおよびダウンリンク送信は、異なる重複しない時間間隔（またはタイムスロット）において行われ、送信経路のみまたは受信経路のみが所与の瞬間においてアクティブである。ＣＤＭＡでは、アップリンクおよびダウンリンクの送信は同時に行われる場合があり、送信経路と受信経路の両方は同時にアクティブであり得る。Ｔ／Ｒスイッチ２２０ａは、第１のセクション２１２ａがＧＳＭまたはＣＤＭＡを処理できるようにするために、切替えを実行する。Ｔ／Ｒスイッチ２２０ａは、第１のセクション２１２ａがＧＳＭを処理しているとき、ＧＳＭの送信経路と受信経路との間の切替えをさらに実行する。また、Ｔ／Ｒスイッチ２２０ａは、ＧＳＭ送信回路によって生成される高電力送信バーストからＧＳＭ受信機回路を保護する。
【００２５】
ＧＳＭ送信経路は、ＲＦユニット２５０ａからＧＳＭ送信信号（ＧＴＸ）を受信し、増幅し、主アンテナ２０２を介して送信するためのＧＳＭアップリンク信号を供給する電力増幅器（ＰＡ）モジュール２２４ａを含む。ＧＳＭ送信信号は、ワイヤレスデバイス１１０ａによってサポートされる２つのＧＳＭ帯域のうちの１つのためのものである。ＰＡモジュール２２４ａは、一般的に、ＧＳＭ送信バースト中の周波数および温度のために出力電力レベルを調整する、（ＲＦ出力レベル検出およびフィードバック回路を有する）ビルトインまたは外部の出力電力制御ループを有する（各ＧＳＭ送信バーストは、５７７μ秒の持続時間を有する）。ＰＡモジュール２２４ａは、モデムプロセッサ２６０ａから来得る利得制御信号（Ｇ１）に基づいて調整することができる可変利得も有する。Ｇ１利得制御信号は、ＰＡモジュール２２４ａの利得をランプアップまたはランプダウンすることができる。ＧＳＭアップリンク信号の振幅も、Ｇ１利得制御信号によって制御され得、ＧＳＭアップリンク信号の位相は、任意の変調（たとえば、ＧＭＳＫ、Ｍ−ＰＳＫ、ＯＱＰＳＫ、Ｍ−ＱＡＭなど）を達成するために、モデムプロセッサ２６０ａによって制御され得る。Ｔ／Ｒスイッチ２２０ａは、一般的に、ＰＡモジュール２２４ａによって生成されるＧＳＭアップリンク信号における高調波をフィルタ処理し、その送信を防止するために、ビルトインフィルタ（たとえば、ローパスフィルタ）を有する。ＧＳＭの送信および受信経路は、公開されている３ＧＰＰ  ＴＳ  ５１．０１０に記載されているＧＳＭシステム要件に準拠するように設計され得る。
【００２６】
第１のＧＳＭ受信経路は、（１）主アンテナ２０２からの受信信号をフィルタ処理するフィルタ２２６ａと、（２）フィルタ２２６ａからのフィルタ処理された信号を増幅し、第１のＧＳＭ受信信号（ＧＲＸ１）をＲＦユニット２５０ａに供給する低雑音増幅器（ＬＮＡ）２２８ａとを含む。フィルタ２２６ａは、第１のＧＳＭ受信帯域（ＧＳＭ  ＲＸ１）に等しい帯域幅を有する表面弾性波（ＳＡＷ）フィルタで実施される帯域フィルタでもよい。フィルタ２２６ａは、大きい振幅の望ましくない信号（または「ジャマー」）と、他のワイヤレスシステムによって送信される他の帯域外信号とをフィルタで取り除く。
【００２７】
ＣＤＭＡ送信経路は、フィルタ２４２ａと、電力増幅器２４４ａと、アイソレータ２４６ａとを含む。フィルタ２４２ａは、ＲＦユニット２５０ａからのＣＤＭＡ送信信号（ＣＴＸ）をフィルタ処理し、フィルタ処理されたＣＤＭＡ信号を供給する。フィルタ２４２ａは、ＣＤＭＡ送信帯域（ＣＤＭＡ  ＴＸ）に等しい帯域幅を有するＳＡＷフィルタによって実施することができる。ＣＤＭＡ送信帯域は、ＣＤＭＡ受信帯域よりも低いので、フィルタ２４２ａは、帯域フィルタの代わりにローパスフィルタによって実施することもできる。電力増幅器２４４ａは、フィルタ処理されたＣＤＭＡ信号を増幅し、ＣＤＭＡアップリンク信号を供給する。アイソレータ２４６ａは、ＣＤＭＡアップリンク信号をデュプレクサ２３２ａに結合し、デュプレクサからの信号が電力増幅器２４４ａに戻ることを防止し、電力増幅器のためのインピーダンス負荷を供給する。デュプレクサ２３２ａは、アイソレータ２４６ａからのＣＤＭＡアップリンク信号を、主アンテナ２０２を介して送信するために、Ｔ／Ｒスイッチ２２０ａに転送する。
【００２８】
また、デュプレクサ２３２ａは、Ｔ／Ｒスイッチ２２０ａを介して、主アンテナ２０２からの受信信号を受信し、主ＣＤＭＡ受信経路に受信信号を転送する。デュプレクサ２３２ａは、ＣＤＭＡのための送信経路と主受信経路との間に隔離を設け、これらの２つの経路の各々について望ましくない信号成分をフィルタで取り除き、全二重通信のために、これらの２つの信号経路の同時の動作をサポートする（ＧＳＭでは、送信および受信経路は同時にアクティブでないので、デュプレクサは不要である）。主ＣＤＭＡ受信経路は、低雑音増幅器（ＬＮＡ）２３４ａとフィルタ２３６ａとを含む。ＬＮＡ２３４ａは、主アンテナ２０２からの受信信号を増幅し、増幅された受信信号を供給する。フィルタ２３６ａは、増幅された受信信号をフィルタ処理し、主ＣＤＭＡ受信信号（ＣＲＸＭ）をＲＦユニット２５０ａに供給する。フィルタ２３６ａは、ＣＤＭＡ受信帯域（ＣＤＭＡ  ＲＸ）に等しい帯域幅を有するＳＡＷフィルタによって実施することができる。デュプレクサ２３２ａは、ＣＤＭＡ受信帯域をあらかじめ選択するためのフィルタリングを実行し、フィルタ２３６ａは、ＣＤＭＡ送信経路から来るＣＤＭＡアップリンク信号の漏れを取り除くための追加のフィルタリングを提供する。
【００２９】
第２のセクション２１４ａ内で、ダイプレクサ２３０ａは、ダイバーシティアンテナ２０４と、第２のＧＳＭ受信経路と、ダイバーシティＣＤＭＡ受信経路とに結合する。ダイプレクサ２３０ａは、ダイバーシティアンテナ２０４からの受信信号を、２つの周波数帯域に信号成分を含む２つの出力信号に分割する周波数選択性ユニットである。ダイプレクサ２３０ａは、（１）ＧＳＭ信号成分を含む第１のダイプレクサ出力信号を第２のＧＳＭ受信経路に、（２）ＣＤＭＡ信号成分を含む第２のダイプレクサ出力信号をダイバーシティＣＤＭＡ受信経路に供給する。ダイプレクサ２３０ａの代わりに、他の周波数選択性ユニットが使用されてもよい。ダイプレクサ２３０ａは、単極２投（ＳＰ２Ｔ）スイッチ、フィルタリングを実行しない信号スプリッタ、または何らかの他のユニットで実施することもできる。第２のＧＳＭ受信経路は、（１）第１のダイプレクサ出力信号を第２のＧＳＭ受信帯域（ＧＳＭ  ＲＸ２）に対してフィルタ処理するフィルタ２２６ｂと、（２）フィルタ２２６ｂからのフィルタ処理された信号を増幅し、第２のＧＳＭ受信信号（ＧＲＸ２）をＲＦユニット２５０ａに供給するＬＮＡ２２８ｂとを含む。ダイバーシティＣＤＭＡ受信経路は、（１）ＣＤＭＡ受信帯域（ＣＤＭＡ  ＲＸ）のための第２のダイプレクサ出力信号をフィルタ処理するフィルタ２３６ｂと、（２）フィルタ２３６ｂからのフィルタ処理された信号を増幅し、ダイバーシティＣＤＭＡ受信信号（ＣＲＸＤ）をＲＦユニット２５０ａに供給するＬＮＡ２３４ｂとを含む。フィルタ２２８ｂおよび２３４ｂは、それぞれ第２のＧＳＭ受信帯域およびＣＤＭＡ受信帯域をあらかじめ選択するためのフィルタリングを実行する。
【００３０】
ＲＦユニット２５０ａは、送信および受信経路のすべてのためのＧＳＭおよびＣＤＭＡの信号に対して信号調整を実行する。各ＧＳＭ受信信号および各ＣＤＭＡ受信信号について、ＲＦユニット２５０ａは、周波数ダウンコンバージョン、復調、フィルタリング、増幅および利得制御などを実行することができる。各ＧＳＭ送信信号および各ＣＤＭＡ送信信号について、ＲＦユニット２５０ａは、フィルタリング、増幅および利得制御、変調、周波数アップコンバージョンなどを実行することができる。ＲＦユニット２５０ａは、スーパーヘテロダインアーキテクチャまたは直接変換アーキテクチャを利用することができる。スーパーヘテロダインアーキテクチャは、複数の段を使用し、たとえば、１つの段では、ＲＦから中間周波数（ＩＦ）への周波数ダウンコンバージョン、別の段では、ＩＦからのベースバンドへの（たとえば、直角位相）復調を行う。直接変換アーキテクチャは、単一の段を使用して、復調し、ＲＦから直接ベースバンドへの周波数ダウンコンバージョンを実行する。同様に、変調および周波数アップコンバージョンは、スーパーヘテロダインアーキテクチャでは複数の段で、直接変換アーキテクチャでは単一の段で実行される。また、ＲＦユニット２５０ａは、そのシステムによって使用されている変調方式に基づいて、当分野で知られている技法を使用して、各ワイヤレスシステムのための変調および復調を実行する。たとえば、ＧＳＭのための変調は、オフセット位相ロックループ（ＯＰＬＬ）または極性変調方式で実行され得る。
【００３１】
ＲＦユニット２５０ａ内の受信経路および送信経路の例示的な設計は、それぞれ図７Ａおよび図７Ｂで後述する。ＲＦユニット２５０ａは、セクション２１２ａおよび２１４ａ内の様々な回路ブロックを含むこともできる。たとえば、ＬＮＡ２２８ａ、２２８ｂおよび２３４ｂは、ＲＦユニット２５０ａ内で実施することができる。ＲＦユニット２５０ａは、１つまたは複数のＲＦ集積回路（ＲＦＩＣ）、個別部品などによって実施することができる。
【００３２】
変調器／復調器（モデム）プロセッサ２６０ａは、ＧＳＭおよびＣＤＭＡのためのベースバンドモデム処理を実行する。各送信経路では、モデムプロセッサ２６０ａは、データを符号化し、インタリーブし、変調して、データのための変調シンボルであるデータシンボルを取得する。モデムプロセッサ２６０ａは、ワイヤレスシステムに従って、データシンボルと、パイロットシンボル、すなわち、パイロットのための変調シンボルとに対して物理層の処理をさらに実行する。たとえば、モデムプロセッサ２６０ａは、データチップを取得するために、データおよびパイロットシンボルをチャネル化（または、「カバー」）し、スペクトル拡散させる（または、スクランブルする）ことができる。各受信経路では、モデムプロセッサ２６０ａは、受信シンボルを取得するために補足的な物理層処理（たとえば、スペクトル逆拡散およびデチャネライゼーション）を実行して、さらに、復号データを取得するために、受信シンボルを復調し、デインターリーブし、復号する。ＧＳＭのためのモデム処理は、３ＧＰＰ  ＴＳ  ０５の文書に記載されており、ＣＤＭＡのためのモデム処理は、実施されているＣＤＭＡ規格に依存する。また、モデムプロセッサ２６０ａは、各受信経路のためのアナログデジタル変換を実行し、各送信経路のためのデジタルアナログ変換を実行する。図２には示されていないが、モデムプロセッサ２６０ａは、メモリユニット２７２、マルチメディアユニット（たとえばカメラ）、入出力（Ｉ／Ｏ）ユニット（たとえば、タッチスクリーン、ディスプレイ、キーパッド、スピーカー、およびマイクロフォン）などとインターフェースすることもできる。モデムプロセッサ２６０ａは、１つまたは複数の特定用途向け集積回路（ＡＳＩＣ）で実装され得る。
【００３３】
主発振器２５２は、（所定の周波数における）基準発振器信号をＲＦユニット２５０ａおよびモデムプロセッサ２６０ａに供給する。主発振器２５２は、電圧制御温度補償型水晶発振器（ＶＣＴＣＸＯ）または当技術分野で知られている何らかの他のタイプの発振器で実装することができる。ＲＦユニット２５０ａは、ビルトインの電圧制御発振器（ＶＣＯ）と位相ロックループ（ＰＬＬ）とを含むことができる。ＶＣＯおよびＰＬＬの１組は、各信号経路に使用され、各信号経路は、別々に「同調」（すなわち、周波数において調整）され得る。ＶＣＯおよびＰＬＬの各組は、主発振器２５２から基準発振器信号を受信し、所望の周波数で局部発振器（ＬＯ）信号を生成する。
【００３４】
コントローラ２７０は、モデムプロセッサ２６０ａおよび場合によってはＲＦユニット２５０ａの動作を制御する。メモリ２７２は、記憶域をコントローラ２７０およびモデムプロセッサ２６０ａに提供する。
【００３５】
２つのＧＳＭ受信経路は、ＧＳＭ送信経路から十分な隔離を有するように設計されている。ＧＳＭ送信バーストのピーク出力電力は、一般的に、＋３２ｄＢｍから＋３５ｄＢｍに及ぶ。フィルタ２２６ａおよび２２６ｂは、一般的に、＋１３ｄＢｍと＋１７ｄＢｍとの間の損傷レベルを有するＳＡＷフィルタである。主アンテナとダイバーシティアンテナとの間の少なくとも２２デシベル（ｄＢ）（＋３５ｄＢｍのピーク出力電力−＋１３ｄＢｍの最小損傷レベル）の隔離は、ＧＳＭ送信バーストによる主アンテナからダイバーシティアンテナに結合されたＧＳＭ  ＳＡＷフィルタ２２６ｂに対する損傷がないことを保証することができる。この２２ｄＢの隔離は、２つのアンテナの間の経路損失と、主アンテナの指向性のための隔離と、ダイバーシティアンテナの指向性のための隔離との組合せから得られ得る。
【００３６】
ＣＤＭＡでは、ＲＸダイバーシティを提供し、フェージング、マルチパスなどの悪影響を改善するために、２つの別々のアンテナに結合された２つの受信経路が使用される。主アンテナで深いフェージングが生じるときは必ず、あまり激しくないフェージングがダイバーシティアンテナにおいて生じるように、２つのアンテナが何らかの空間ダイバーシティ（またはアンテナの分離）を有する場合、ＲＸダイバーシティのために、性能の向上が達成され得る。フェージングは、（異なる経路遅延のために）逆位相の２つの信号インスタンスがアンテナにおいて相互に相殺（または破壊的に追加）することによって生じ得る。２つのアンテナが、たとえば、数センチメートルなどの小さい距離だけ分離されるときでも、ＲＸダイバーシティは効果的であることが示されている。
【００３７】
主ＣＤＭＡ受信経路は、一般的に、たとえば、感度および線形性についての、すべての適用可能なＣＤＭＡのシステム要件を満たすように設計されている。ＩＳ−２０００およびＩＳ−９５のためのシステム要件は、ＩＳ−９８に記載されており、Ｗ−ＣＤＭＡのためのシステム要件は、３ＧＰＰ  ＴＳ  ２５．１０１およびＴＳ  ３４．１２１に記載されており、それのすべては公開されている。ダイバーシティＣＤＭＡ受信経路は、ＣＤＭＡのシステム要件のすべてに準拠する必要はない。たとえば、ダイバーシティＣＤＭＡ受信経路は、主ＣＤＭＡ受信経路よりも小規模のダイナミックレンジにおいて動作し、より悪い受信機感度を有し、ジャマーの拒絶で、より低い効果を持つように設計され得る。この準拠していない設計によって、ダイバーシティＣＤＭＡ受信経路は、より少ない消費電力、より少ない領域、およびより低いコストで実施することができる。たとえば、これがＬＮＡ２３４ｂの線形性性能を低下させ得る場合であっても、ＬＮＡ２３４ｂは、ＬＮＡ２３４ａよりも高い利得および／または低い電流によって動作され得る。ダイバーシティＣＤＭＡ受信経路は、依然として、大部分の動作条件下で良好な性能を提供することができる。
【００３８】
ダイバーシティモードで動作するとき、主とダイバーシティの両方のＣＤＭＡ受信経路はアクティブであり、ＣＤＭＡ受信帯域上の同じＲＦチャネルに同調される。ＲＦユニット２５０ａは、主およびダイバーシティのＣＤＭＡ受信経路からの主およびダイバーシティのＣＤＭＡ受信信号をそれぞれ処理し、主およびダイバーシティベースバンド受信信号（Ｃ＿ＲＸＭおよびＣ＿ＲＸＰ）をそれぞれ供給する。次いで、レイク受信機（ＣＤＭＡのために一般的に使用される）は、これら２つのベースバンド信号の２つのデータサンプルストリームを処理し、結合して、向上した受信信号品質を有する複合受信シンボルストリームを取得して、これは、ビット当たりのエネルギー対総雑音比（Ｅｂ／Ｎｏ）によって量子化され得る。より高いＥｂ／Ｎｏは、たとえばＣＤＭＡ  １Ｘ  ＥＶ−ＤＯ、ＵＭＴＳ高速パケットデータ、ＵＭＴＳ高速回線交換データなど、高データレートの適用例に向上した性能（たとえば、より高い総スループット）を提供することができる。
【００３９】
非ダイバーシティモードで動作するとき、主およびダイバーシティＣＤＭＡ受信経路は、異なるＲＦチャネルに個別に同調され得る。たとえば、主ＣＤＭＡ受信経路は、保留中のデータ呼のためにＲＦチャネルに同調され得、ダイバーシティＣＤＭＡ受信経路は、ページングメッセージを監視する、またはパイロットをサーチするために、別のＲＦチャネルに同調され得る。（たとえば、着信呼のための）ページングメッセージが受信された場合、ワイヤレスデバイスは、（１）主ＣＤＭＡ受信経路を使用して、保留中のデータ呼を中断し、（たとえば、ユーザの承認後）音声呼を止める、または（２）２つのＣＤＭＡ受信経路を使用して、データと音声の両方の呼を処理することができる。
【００４０】
トランシーバシステム２１０ａは、様々な方法で動作され得る。ある動作モードでは、トランシーバシステム２１０ａは、所与の瞬間においてＧＳＭのみまたはＣＤＭＡのみを処理する。別の動作モードでは、トランシーバシステム２１０ａは、１つのＣＤＭＡ受信経路と１つのＧＳＭ受信経路とを同時に処理することができる。この能力は、たとえば、ＣＤＭＡとＧＳＭとの間のハンドオーバをサポートするため、ＧＳＭ呼の間のＣＤＭＡ  １ｘ  ＥＶ−ＤＯシステムをサーチするためなどに使用され得る。
【００４１】
図２は、特定の実施形態を示し、様々な変更を加えることができる。たとえば、それらの周波数帯域および変調方式に応じて、ＧＳＭおよびＣＤＭＡのための信号経路を結合することが可能であり得る。
【００４２】
トランシーバシステム２１０ａでは、主アンテナ２０２は送信および受信の両方に使用され、一方、ダイバーシティアンテナ２０４は受信のみに使用される。第１のセクション２１２ａにおける第１のＧＳＭ受信経路は、一般的に使用されるＧＳＭ帯域のためのものであり得、第２のセクション２１４ａにおける第２のＧＳＭ受信経路は、あまり一般的に使用されないＧＳＭ帯域のためのものであり得る。両方のＧＳＭ帯域のための１つのＧＳＭ送信経路を使用し、２つのＧＳＭ帯域のための２つのＧＳＭ受信経路を２つのアンテナ上に分割することによって、セクション２１２ａおよび２１４ａの複雑さは低減される。たとえば、第１のセクション２１２ａは、すぐに利用可能で、良好な性能を有するＳＰ３Ｔスイッチを利用することができる。
【００４３】
図３は、ワイヤレスデバイス１１０の別の実施形態である二重アンテナワイヤレスデバイス１１０ｂのブロック図を示す。ワイヤレスデバイス１１０ｂは、ＣＤＭＡのためのＲＸダイバーシティを有する単一の周波数帯域（たとえば、ＰＣＳまたはセルラー）をサポートし、ＧＳＭのための４つの周波数帯域（たとえば、ＧＳＭ１９００、ＧＳＭ１８００、ＧＳＭ９００、およびＧＳＭ８５０）をサポートするトランシーバシステム２１０ｂを含む。４帯域ＧＳＭトランシーバは、すべての現在一般的に使用されているＧＳＭ帯域において通信することが可能であり、国際ローミングをサポートする。
【００４４】
トランシーバシステム２１０ｂは、第１のセクション２１２ｂと、第２のセクション２１４ｂと、ＲＦユニット２５０ｂとを含む。第１のセクション２１２ｂは、４つのＧＳＭ帯域のための２つのＧＳＭ送信経路と、第１のＧＳＭ帯域のための第１のＧＳＭ受信経路と、第３のＧＳＭ帯域のための第３のＧＳＭ受信経路と、ＣＤＭＡのための送信経路および主受信経路とを含む。第２のセクション２１４ｂは、第２のＧＳＭ帯域のための第２のＧＳＭ受信経路と、第４のＧＳＭ帯域のための第４のＧＳＭ受信経路と、ＣＤＭＡのためのダイバーシティ受信経路とを含む。ＲＦユニット２５０ｂは、セクション２１２ｂおよび２１４ｂのために信号を調整する。
【００４５】
第１のセクション２１２ｂ内で、単極５投（ＳＰ５Ｔ）Ｔ／Ｒスイッチ２２０ｂは、主アンテナ２０２に結合された１つの共通のＲＦポートと、２つのＧＳＭ送信経路、第１および第３のＧＳＭ受信経路、ならびにＣＤＭＡ送信／主受信経路のためのデュプレクサ２３２ａに結合された５つのＩ／Ｏ  ＲＦポートとを有する。Ｔ／Ｒスイッチ２２０ｂは、所与の瞬間において、共通のＲＦポートを５つのＩ／Ｏ  ＲＦポートのうちの１つに結合する。Ｔ／Ｒスイッチ２２０ａは、第１のセクション２１２ｂがＧＳＭまたはＣＤＭＡを処理できるようにするために切替えを実行し、さらに、第１のセクション２１２ｂがＧＳＭを処理しているとき、１つのＧＳＭ帯域のための送信経路と受信経路との間の切替えを実行する。
【００４６】
２つのＧＳＭ送信経路は、２つの入力および２つの出力を有する４帯域電力増幅器モジュール２２４ｂを含む。ＰＡモジュール２２４ｂは、ＲＦユニット２５０ｂから、第１または第２のＧＳＭ帯域のための第１のＧＳＭ送信信号（ＧＴＸ１）を受信し、増幅し、主アンテナ２０２を介して送信するための第１のＧＳＭアップリンク信号を供給することができる。ＰＡモジュール２２４ｂは、ＲＦユニット２５０ｂから、第３または第４のＧＳＭ帯域のための第２のＧＳＭ送信信号（ＧＴＸ２）を受信し、増幅し、主アンテナ２０２を介して送信するための第２のＧＳＭアップリンク信号を供給することもできる。第１のＧＳＭ受信経路は、主アンテナ２０２からの受信信号に対してフィルタリングおよび増幅を実行し、第１のＧＳＭ受信信号（ＧＲＸ１）をＲＦユニット２５０ｂに提供するフィルタ２２６ａとＬＮＡ２２８ａとを含む。第３のＧＳＭ受信経路は、受信信号に対してフィルタリングおよび増幅を実行し、第３のＧＳＭ受信信号（ＧＲＸ３）をＲＦユニット２５０ｂに提供するフィルタ２２６ｃとＬＮＡ２２８ｃとを含む。フィルタ２２６ａおよび２２６ｃは、それぞれ、第１および第３のＧＳＭ受信帯域に等しい帯域幅を有するＳＡＷフィルタでもよい。
【００４７】
第２のセクション２１４ｂ内で、トリプレクサ２３０ｂは、ダイバーシティアンテナ２０４に結合し、アンテナ２０４から受信信号を取得し、第１および第２のトリプレクサ出力信号を第２および第４のＧＳＭ受信経路にそれぞれ供給し、第３のトリプレクサ出力信号をダイバーシティＣＤＭＡ受信経路に供給する。第２のＧＳＭ受信経路は、第１のトリプレクサ出力信号をフィルタ処理し、増幅し、第２のＧＳＭ受信信号（ＧＲＸ２）をＲＦユニット２５０ｂに供給するフィルタ２２６ｂとＬＮＡ２２８ｂとを含む。第４のＧＳＭ受信経路は、第２のトリプレクサ出力信号をフィルタ処理し、増幅し、第４のＧＳＭ受信信号（ＧＲＸ４）をＲＦユニット２５０ｂに供給するフィルタ２２６ｄとＬＮＡ２２８ｄとを含む。フィルタ２２６ｂおよび２２６ｄは、それぞれ、第２および第４のＧＳＭ受信帯域に等しい帯域幅を有するＳＡＷフィルタでもよい。
【００４８】
第１のセクション２１２ｂ内のＣＤＭＡ送信経路および主ＣＤＭＡ受信経路は、図２のセクション２１２ａ内のものと同じである。セクション２１４ｂ内のダイバーシティＣＤＭＡ受信経路は、図２のセクション２１４ａ内のものと同じである。
【００４９】
トランシーバシステム２１０ｂは、様々な方法で動作され得る。表２は、トランシーバシステム２１０ｂによってサポートされるいくつかの動作モードを列挙する。
【表２】
2014509496.tif 000004
【００５０】
トランシーバシステム２１０ｂでは、主アンテナ２０２は送信と受信の両方に使用され、一方、ダイバーシティアンテナ２０４は受信のみに使用される。第１のセクション２１２ｂ内の第１および第３のＧＳＭ受信経路は、２つの一般的に使用されるＧＳＭ帯域のためのものであり得、第２のセクション２１４ｂ内の第２および第４のＧＳＭ受信経路は、（たとえば、ローミングのための）２つのあまり一般的に使用されないＧＳＭ帯域のためのものであり得る。たとえば、ワイヤレスデバイス１１０ｂがヨーロッパ市場向けである場合、第１のセクション２１２ｂは、ＧＳＭ９００とＧＳＭ１９００とをカバーすることができ、第２のセクション２１４ｂは、ＧＳＭ８５０とＧＳＭ１９００とをカバーすることができる。代わりに、ワイヤレスデバイス１１０ｂが米国市場向けである場合、第１のセクション２１２ｂは、ＧＳＭ８５０とＧＳＭ１９００とをカバーすることができ、第２のセクション２１４ｂは、ＧＳＭ９００とＧＳＭ１９００とをカバーすることができる。４つのＧＳＭ帯域のために２つのＧＳＭ送信経路を使用し、４つのＧＳＭ帯域のための４つのＧＳＭ受信経路を２つのアンテナ上に分割することによって、セクション２１２ｂおよび２１４ｂの複雑さは低減される。たとえば、第１のセクション２１２ｂは、すぐに利用可能であり、良好な性能を有するＳＰ５Ｔスイッチを利用することができる。
【００５１】
図４は、ワイヤレスデバイス１１０のさらに別の実施形態である二重アンテナワイヤレスデバイス１１０ｃのブロック図を示す。ワイヤレスデバイス１１０ｃは、ＣＤＭＡのためのＲＸダイバーシティを有する２つの周波数帯域（たとえば、ＰＣＳおよびセルラーなど）と、ＧＳＭのための４つの周波数帯域（たとえば、ＧＳＭ１９００、ＧＳＭ１８００、ＧＳＭ９００、およびＧＳＭ８５０）とをサポートするトランシーバシステム２１０ｃを含む。トランシーバシステム２１０ｃは、第１のセクション２１２ｃと、第２のセクション２１４ｃと、ＲＦユニット２５０ｃとを含む。第１のセクション２１２ｃは、４つのＧＳＭ帯域のための２つのＧＳＭ送信経路と、２つのＧＳＭ帯域のための第１および第３のＧＳＭ受信経路と、２つのＣＤＭＡ帯域のための２つのＣＤＭＡ送信経路および２つの主ＣＤＭＡ受信経路とを含む。第２のセクション２１４ｃは、他の２つのＧＳＭ帯域のための第２および第４のＧＳＭ受信経路と、２つのＣＤＭＡ帯域のための２つのダイバーシティＣＤＭＡ受信経路とを含む。ＲＦユニット２５０ｃは、セクション２１２ｃおよび２１４ｃのために信号を調整する。
【００５２】
第１のセクション２１２ｃ内で、ＳＰ５Ｔ  Ｔ／Ｒスイッチ２２０ｃは、主アンテナ２０２に結合された１つの共通のＲＦポートと、２つのＧＳＭ送信経路、第１および第３のＧＳＭ受信経路、ならびにＣＤＭＡ送信／主受信経路のためのダイプレクサ２２２に結合された５つのＩ／Ｏ  ＲＦポートとを有する。セクション２１２ｃ内の２つのＧＳＭ送信経路、ならびに第１および第３のＧＳＭ受信経路は、図３のセクション２１２ｂ内のものと同じである。図２に関して上記で説明したように、第１のＣＤＭＡ帯域のための送信経路および主受信経路は、デュプレクサ２３２ａ、ＬＮＡ２３４ａ、フィルタ２３６ａおよび２４２ａ、電力増幅器２４４ａ、ならびにアイソレータ２４６ａによって実施される。第２のＣＤＭＡ帯域のための送信経路および主受信経路は、第２のＣＤＭＡ帯域のために設計されるデュプレクサ２３２ｂ、ＬＮＡ２３４ｃ、フィルタ２３６ｃおよび２４２ｂ、電力増幅器２４４ｂ、ならびにアイソレータ２４６ｂによって実施される。ダイプレクサ２２２は、Ｔ／Ｒスイッチ２２０ｃの１つのＩ／Ｏ  ＲＦポートと、デュプレクサ２３２ａの１つのポートと、デュプレクサ２３２ｂの１つのポートとに結合する。ダイプレクサ２２２は、Ｔ／Ｒスイッチ２２０ｃとデュプレクサ２３２ａとの間で、第１のＣＤＭＡ帯域のための第１のＣＤＭＡ信号を転送し、さらに、Ｔ／Ｒスイッチ２２０ｃとデュプレクサ２３２ｂとの間で第２のＣＤＭＡ帯域のための第２のＣＤＭＡ信号を転送する。
【００５３】
第２のセクション２１４ｃ内で、クワッドプレクサ２３０ｃは、ダイバーシティアンテナ２０４、第２および第４のＧＳＭ受信経路、ならびに２つのダイバーシティＣＤＭＡ受信経路に結合する。セクション２１４ｃ内の第２および第４のＧＳＭ受信経路、ならびに第１のダイバーシティＣＤＭＡ受信経路は、図３のセクション２１４ｂ内のものと同じである。第２のダイバーシティＣＤＭＡ受信経路は、第２のＣＤＭ帯域のために設計されたフィルタ２３６ｄおよびＬＮＡ２３４ｄによって実施される。
【００５４】
トランシーバシステム２１０ｃでは、主アンテナ２０２は、送信と受信の両方に使用され、一方、ダイバーシティアンテナ２０４は、受信のみに使用される。ＳＰ５Ｔスイッチ２２０ｃは、第１のセクション２１２ｃ内のすべてのＧＳＭおよびＣＤＭＡ送信経路と、２つのＧＳＭ受信経路と、２つの主ＣＤＭＡ受信経路とをサポートすることができる。クワッドプレクサ２３０ｃは、第２のセクション２１４ｃ内の２つのＧＳＭ受信経路と、２つのダイバーシティＣＤＭＡ受信経路とをサポートすることができる。
【００５５】
図５は、ワイヤレスデバイス１１０のさらに別の実施形態である二重アンテナワイヤレスデバイス１１０ｄのブロック図を示す。ワイヤレスデバイス１１０ｄは、ＣＤＭＡのための単一の周波数帯域（たとえば、ＰＣＳまたはセルラー）と、ＧＳＭのための単一の周波数帯域（たとえば、ＧＳＭ１９００、ＧＳＭ１８００、ＧＳＭ９００、またはＧＳＭ８５０）とをサポートするトランシーバシステム２１０ｄを含む。トランシーバシステム２１０ｄは、第１のセクション２１２ｄと、第２のセクション２１４ｄと、ＲＦユニット２５０ｄとを含む。第１のセクション２１２ｄは、ＧＳＭ送信経路とＣＤＭＡ送信経路とを含む。第２のセクション２１４ｄは、ＧＳＭ受信経路とＣＤＭＡ受信経路とを含む。ＲＦユニット２５０ｄは、セクション２１２ｄおよび２１４ｄのために信号を調整する。
【００５６】
第１のセクション２１２ｄ内で、単極２投（ＳＰ２Ｔ）Ｔ／Ｒスイッチ２２０ｄは、主アンテナ２０２に結合された１つの共通のＲＦポートと、ＧＳＭ送信経路およびＣＤＭＡ送信経路に結合された２つのＩ／Ｏ  ＲＦポートとを有する。ＧＳＭ送信経路は、図２のセクション２１２ａ内のものと同じである。ＣＤＭＡ送信経路は、フィルタ２４２ａおよび電力増幅器２４４ａによって実施され、図２に関して上記で説明した通りである。第２のセクション２１４ｄ内で、ダイプレクサ２３０ｄは、ダイバーシティアンテナ２０４に、ならびにＧＳＭおよびＣＤＭＡ受信経路に結合する。ダイバーシティアンテナ２０４は、ダイバーシティのためではなく、第２のアンテナとして使用される。図２に関して上記で説明したように、ＧＳＭ受信経路は、フィルタ２２６ａとＬＮＡ２２８ａとを含み、ＣＤＭＡ受信経路は、フィルタ２３６ａとＬＮＡ２３４ａとを含む。ダイバーシティアンテナ２０４は、主アンテナ２０２からの２２ｄＢ以上の隔離を有し、ＧＳＭ送信バーストからセクション２１４ｄ内の受信機回路への損傷を防止するように設計されている。
【００５７】
トランシーバシステム２１０ｄでは、主アンテナ２０２は、送信のみに使用され、ダイバーシティアンテナ２０４は、受信のみに使用される。ＳＰ２Ｔスイッチ２２０ｄは、ＧＳＭとＣＤＭＡの両方の送信経路をサポートすることができる。ダイプレクサ２３０ｄは、ＧＳＭとＣＤＭＡの両方の受信経路をサポートすることができる。トランシーバシステム２１０ｄは、最小の回路で実施され得る。
【００５８】
図６は、ワイヤレスデバイス１１０のさらに別の実施形態である三重アンテナワイヤレスデバイス１１０ｅのブロック図を示す。ワイヤレスデバイス１１０ｅは、ＣＤＭＡのためのＲＸダイバーシティを有する単一の周波数帯域（たとえば、ＰＣＳまたはセルラー）と、ＧＳＭのための２つの周波数帯域（たとえば、ＧＳＭ１９００およびＧＳＭ８５０、またはＧＳＭ１８００およびＧＳＭ９００）と、ＧＰＳとをサポートするトランシーバシステム２１０ｅを含む。トランシーバシステム２１０ｅは、セクション２１２ａ、２１４ａ、および２１６と、ＲＦユニット２５０ｅとを含む。セクション２１２ａおよび２１４ａは、図２に関して上記で説明されている。第３のセクション２１６内で、フィルタ２４８は、ＧＰＳのための第３のアンテナ２０６に結合し、アンテナ２０６からの受信信号をフィルタ処理し、ＧＰＳ受信信号をＲＦユニット２５０ｅに供給する。第３のアンテナ２０６は、ＧＰＳ帯域のために設計され得る。フィルタ２４８は、ＧＰＳ帯域に等しい帯域幅を有するＳＡＷフィルタによって実施することができる。
【００５９】
ＲＦユニット２５０ｅは、セクション２１２ａ、２１４ａおよび２１６のためのＧＳＭ、ＣＤＭＡ、およびＧＰＳ信号を調整する。ＲＦユニット２５０ｅは、フィルタ２４８からのＧＰＳ受信信号のために信号調整を実行するＧＰＳ受信機を含む。ＲＦユニット２５０ｅは、ＧＰＳ受信機の独立した同調を可能にするために、ＧＰＳのためのＶＣＯとＰＬＬとを含むこともできる。
【００６０】
一般に、第３のアンテナ２０６およびフィルタ２４８は、ＧＰＳの能力を提供するために、図２〜図６において上述したワイヤレスデバイスのいずれかにおいて実施することができる。たとえば、第３のアンテナ２０６およびフィルタ２４８は、図３のワイヤレスデバイス１１０ｂにおいて実施することができる。次いで、そのようなワイヤレスデバイスは、ＲＸダイバーシティを有する単一のＣＤＭＡ帯域、４つのＧＳＭ帯域、およびＧＰＳをサポートすることが可能である。
【００６１】
ＧＰＳは、正確な世界的な３次元（３Ｄ）位置情報を取得するために使用され得る。ＧＰＳは、６つの５５°の軌道平面における２４の衛星から成る。ＧＰＳ受信機は、物体（たとえば、建物、木、山など）によって遮られない限り、地球上の任意の位置から少なくとも４つのＧＰＳ衛星への見通し線を有する。ＧＰＳ受信機は、少なくとも３つのＧＰＳ衛星のための測定値に基づく３Ｄ位置決定、または３つのＧＰＳ衛星の測定値に基づく２Ｄ位置決定を取得することができる。位置決定は、ＧＰＳ受信機の位置の推定値である。ＧＰＳ受信機は、ＧＰＳ衛星ごとに、ＧＰＳ信号が衛星から受信機に移動するためにかかる時間の測度である、到着時間（ＴＯＡ）を決定することができる。次いで、ＧＰＳ受信機は、衛星のＴＯＡに基づいて、各ＧＰＳ衛星までの距離を計算することができる。次いで、ＧＰＳ受信機は、３つのＧＰＳ衛星までの正確な距離およびこれらの衛星の既知の位置に基づいて地球上のその位置を三角測量することができる。ＧＰＳ受信機は、一般的に、ＧＰＳ衛星と同期されないので、第４のＧＰＳ衛星または地球に結びつけられた基地局のための追加の測定値は、ＧＰＳ受信機の時間調整における曖昧さを受け持つために使用される。
【００６２】
ＧＰＳ対応ワイヤレスデバイスは、スタンドアロンモードまたはネットワーク支援型モードを使用して位置決定を取得することができる。スタンドアロンモードでは、ワイヤレスデバイスは、ＧＰＳ信号を受信し、処理し、位置決定を計算する。支援型ＧＰＳ（ＡＧＰＳ）とも呼ばれるネットワーク支援型モードでは、ワイヤレスデバイスは、ワイヤレスシステムからの支援を受けて位置決定を取得する。ワイヤレスデバイスは、ワイヤレスシステムから補助情報を取得することができ、この情報を使用して、ＧＰＳ衛星をサーチし、ＧＰＳ衛星からエフェメリス情報をダウンロードするなどを行うことができる。エフェメリス情報は、ＧＰＳ衛星の位置を提供する。ワイヤレスデバイスは、ワイヤレスシステムに測定値を送ることができ、ワイヤレスシステムは、次いで、ワイヤレスデバイスのための位置決定を計算する。
【００６３】
ワイヤレスデバイスは、ＧＰＳのための「切断」アーキテクチャまたは同時アーキテクチャを実施することができる。切断アーキテクチャでは、ワイヤレスシステムとの通信は、（１）瞬間的に停止されて、ＧＰＳ受信機が、ＧＰＳ衛星に同調し、そこから測定値およびデータを取得できるようにし、（２）その後で再開される。同時アーキテクチャでは、ワイヤレスデバイスはＧＰＳ信号を受信し、処理すると同時にワイヤレスシステムとの通信を維持することができる。このアーキテクチャは、通信セッションの間にリアルタイムの位置ベースのサービスをサポートする。たとえば、ワイヤレスユーザは、たとえばマップ、方向、商業立地など、リアルタイムの位置ベースの情報にアクセスすることができる。
【００６４】
本明細書で説明するトランシーバアーキテクチャによって、より少しのＩ／Ｏ  ＲＦポートを有するより単純なＴ／Ｒスイッチを、複数のＧＳＭおよびＣＤＭＡ帯域をサポートするために使用することができる。たとえば、図４の送信機システム２１０ｃは、ＳＰ５Ｔ  Ｔ／Ｒスイッチを使用して、４つのＧＳＭ帯域および２つのＣＤＭＡ帯域を２つのアンテナでサポートする。従来のトランシーバシステムは、これらのＧＳＭおよびＣＤＭＡ帯域のすべてを単一アンテナでサポートするために、８つまたは９つのＩ／Ｏ  ＲＦポートを有するより大規模なＴ／Ｒスイッチを必要とする。より大きいＴ／Ｒスイッチは、おそらくより高い挿入損失、より悪い線形性性能などを有する。より高い挿入損失は、ＧＳＭのみまたはＣＤＭＡのみのワイヤレスデバイスと比較して、より悪い受信機感度、電力増幅器のためのより高い出力電力、より高い消費電力、より短い通話時間、より熱い動作温度などをもたらし得る。対照的に、送信機システム２１０ｃは、強引なトランシーバシステムについての上述した欠点および悪影響の大部分を改善する、より小さい、より低損失、より低コストのＳＰ５Ｔ  Ｔ／Ｒスイッチを使用する。より単純なＴ／Ｒスイッチは、より良好な線形性性能を提供することができ、これは、ＣＤＭＡにおいて、（１）ＣＤＭＡ受信帯域に含まれる混変調生成物と、（２）ＣＤＭＡ送信帯域内のスペクトルの再成長とを防ぐために必要とされる。したがって、より単純なＴ／Ｒスイッチは、ＣＤＭＡとＧＳＭの両方について、より良好な性能を提供することができる。
【００６５】
図７Ａは、直接変換アーキテクチャを利用し、図２〜図６に示されるＲＦユニット内で実施され得る復調器７１０のブロック図を示す。復調器７１０は、ＲＦ受信信号（Ｒｆｉｎ）を受信し、処理し、ベースバンド出力信号（ＢＢｏｕｔ）を供給する。図２のトランシーバシステム２１０ａでは、ＲＦ受信信号は、第１のＧＳＭ受信信号（ＧＲＸ１）、第２のＧＳＭ受信信号（ＧＲＸ２）、主ＣＤＭＡ受信信号（ＣＲＸＭ）、またはダイバーシティＣＤＭＡ受信信号（ＣＲＸＤ）に対応し得る。ベースバンド出力信号（ＢＢｏｕｔ）は、ＧＳＭベースバンド受信信号（Ｇ＿ＲＸ）、主ＣＤＭＡベースバンド受信信号（Ｃ＿ＲＸＭ）、またはダイバーシティＣＤＭＡベースバンド受信信号（Ｃ＿ＲＸＤ）に対応し得る。
【００６６】
復調器７１０内で、可変利得増幅器（ＶＧＡ）７１２は、ＲＦ受信信号（ＲＦｉｎ）を可変利得（Ｇｒｘ）で増幅し、所望の信号レベルを有する調整済みの信号を供給する。ミキサ７１４は、ＬＯ生成器７２０からの受信ＬＯ信号で調整済みの信号を復調し、ダウンコンバートされた信号を供給する。ＬＯ生成器７２０は、（１）受信ＬＯ信号を生成するＶＣＯと、（２）当該のＲＦチャネルにおける信号成分が、ベースバンドまたはベースバンドの近くにダウンコンバートされるように、受信ＬＯ信号の周波数を調整するＰＬＬとを含み得る。ローパスフィルタ７１６は、当該のＲＦチャネルにおける信号成分を通し、ダウンコンバージョンプロセスによって生成され得るノイズおよび望ましくない信号を取り除くために、ダウンコンバートされた信号をフィルタ処理する。ローパスフィルタ７１６は、様々なフィルタタイプ（たとえば、バターワース、楕円、チェビシェフなど）によって、および適当なフィルタ次数および帯域幅によって実施され得る。増幅器（ＡＭＰ）７１８は、ローパスフィルタ処理済み信号を増幅し、バッファし、ベースバンド出力信号（ＢＢｏｕｔ）を供給する。
【００６７】
図７Ｂは、直接変換アーキテクチャを利用し、同じく図２〜図６に示されるＲＦユニット内で実施され得る変調器７３０のブロック図を示す。変調器７３０は、ベースバンド入力信号（ＢＢｉｎ）を受信し、処理し、ＲＦ送信信号（ＲＦｏｕｔ）を供給する。図２のトランシーバシステム２１０ａでは、ベースバンド入力信号は、ＧＳＭベースバンド送信信号（Ｇ＿ＴＸ）またはＣＤＭＡベースバンド送信信号（Ｃ＿ＴＸ）に対応し得る。ＲＦ送信信号は、ＧＳＭ送信信号（ＧＴＸ）またはＣＤＭＡ送信信号（ＣＴＸ）に対応し得る。
【００６８】
変調器７３０内で、ローパスフィルタ７３２は、デジタルアナログ変換によって生成される望ましくない画像を取り除くために、ベースバンド入力信号（ＢＢｉｎ）をフィルタ処理し、フィルタ処理されたベースバンド信号を供給する。次いで、増幅器７３４は、フィルタ処理されたベースバンド信号を増幅し、バッファし、増幅されたベースバンド信号を供給する。ミキサ７３６は、ＬＯ生成器７４０からの送信ＬＯ信号で増幅されたベースバンド信号を変調し、アップコンバートされた信号を供給する。ＬＯ生成器７４０は、所望の送信周波数で送信ＬＯ信号を生成することができるＶＣＯとＰＬＬとを含む。ＶＧＡ７３８は、可変利得（Ｇｔｘ）でアップコンバートされた信号を増幅し、ＲＦ送信信号（ＲＦｏｕｔ）を供給する。
【００６９】
図７Ａおよび図７Ｂはそれぞれ、復調器７１０および変調器７３０の特定の実施形態を示す。一般に、復調器は、増幅器、フィルタ、ミキサなど、１つまたは複数の段を含むことができ、これらは図７Ａに示した実施形態とは異なって配置され得る。同様に、変調器は、増幅器、フィルタ、ミキサなど、１つまたは複数の段を含むことができ、同じく、図７Ｂに示した実施形態とは異なって配置され得る。図２〜図６に示されるＲＦユニットの各々は、ＧＳＭおよびＣＤＭＡの送信経路のための複数の変調器７３０と、ＧＳＭおよびＣＤＭＡの受信経路のための複数の復調器７１０とを含むことができる。当技術分野で知られているように、復調器および変調器は、スーパーヘテロダインアーキテクチャを利用することもできる。
【００７０】
時間二重受信機と共有されるダイバーシティ受信機経路
現代の地上波無線通信デバイスは、音声のみ、データのみ、または音声とデータネットワークとの組合せを含めて、多種多様なワイヤレスネットワークにおいて動作することがしばしば可能である。さらに、多くの国およびサービスプロバイダは、国中および世界中のサービス市場エリアに対するスペクトルを所有する。これを十分に利用するために、通信デバイスは、広範囲にわたる市場エリアおよびサービスにサービスを提供することができるマルチバンドおよびマルチモードでなければならない。
【００７１】
残念ながら、マルチバンドおよびマルチモード機能は、無線フロントエンドにおけるかなりの複雑さをもたらし得る。しかしながら、本開示の態様は、マルチバンドおよびマルチモード対応デバイスにおける無線フロントエンドスイッチの複雑さを低減することができるマルチバンド無線についての実装を提供する。いくつかの態様によれば、受信機経路を時分割半二重トランシーバと共有することによって、多入力多出力（ＭＩＭＯ）または多入力単出力（ＭＩＳＯ）システムの複雑さを低減することができる。
【００７２】
以下でより詳細に説明するように、ワイヤレスデバイスは、少なくとも第１および第２のアンテナ、ならびに第１および第２のワイヤレスシステムから受信される信号を処理するための少なくとも１つのプロセッサを有することができる。ワイヤレスデバイスは、第１のアンテナだけで第１のワイヤレスシステムから受信される信号を処理することができる。ワイヤレスデバイスは、受信ダイバーシティを使用して第１および第２のアンテナで第２のワイヤレスシステムから受信される信号を処理することができる。
【００７３】
第１のワイヤレスシステムは、たとえば、時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、または時分割複信ロングタームエボリューション（ＴＤＤ−ＬＴＥ）システムであり得る。第２のワイヤレスシステムは、たとえば、周波数分割複信（ＦＤＤ）、符号分割多元接続（ＣＤＭＡ）、広帯域符号分割多元接続（ＷＣＤＭＡ（登録商標））、ロングタームエボリューション（ＬＴＥ）、または時分割多元接続（ＴＤＭＡ）システムであり得る。
【００７４】
いくつかの態様によれば、ワイヤレスデバイスは、第１のワイヤレスシステムと第２のワイヤレスシステムとの間の受信経路の共有を有効にするために制御可能なスイッチの構成を含み得る。たとえば、ワイヤレスデバイスは、ワイヤレスデバイスの動作モードに基づいて第１および第２のワイヤレスシステムの受信経路を選択的に完了するために、第１のアンテナに結合された第１のスイッチと、第２のアンテナに結合された第２のスイッチとを有することができる。態様によれば、第１および第２のワイヤレスシステムの受信経路を選択的に完了するために、スイッチが使用され得る。第２のワイヤレスシステムから受信される信号を処理するとき、デバイスは、第１のモードで動作するように構成され得る。
【００７５】
第１のモードでは、デバイスは、第１のアンテナに結合された第１のアンテナモジュールにおける第１のスイッチ、および第２のアンテナに結合された第２のアンテナモジュールにおける第２のスイッチを利用することができる。第１のモードである間、デバイスは、第２のアンテナにおける受信のために選択されたフィルタ経路と同じ周波数帯域に対応する第１のアンテナにおける受信のためのフィルタ経路を選択するように構成され得る。
【００７６】
第１のワイヤレスシステムから信号を受信すると、デバイスは、第２の動作モードに切り替わるように構成され得る。第２のモードである間、デバイスは、第１のモードである間とは異なる方法で、第１のアンテナモジュールにおける第１のスイッチを利用することができる。これらの第１および第２のモードをサポートすることができる異なるスイッチ構成を利用することの例は、図８〜図１０に示される。
【００７７】
図８は、半二重トランシーバシステムと全二重トランシーバシステムとの間でアンテナを共有することをサポートする無線フロントエンド８００の例示的なシステムブロック図を示す。態様によれば、全二重ダイバーシティ受信経路は、時間二重受信機と共有され得る。図示されていないが、フロントエンドは、信号を、たとえば図２〜図６に関して上述したものなど、ＲＦユニット２５０およびモデムプロセッサ２６０と交換することができる。
【００７８】
デバイスは、第１の送信／受信（Ｔ／Ｒ）スイッチ８０８に接続された第１のアンテナ８０４と、第２のＴ／Ｒスイッチ８０６に接続された第２のアンテナ８０２とを有し得る。たとえば、ＣＤＭＡ、ＷＣＤＭＡ、ＬＴＥ、およびＴＤＭＡを含む全二重トランシーバ動作は、アンテナ８０２およびＴ／Ｒスイッチ８０６を介して行われ得る。
【００７９】
全二重伝送では、無線周波数信号は、ＲＦユニットおよびモデムプロセッサから放出抑制フィルタ８１０、ＰＡ８１２、デュプレクサ８１４、Ｔ／Ｒスイッチ８０６に出力され得る。たとえばデジタル信号プロセッサ（ＤＳＰ）などのプロセッサは、アンテナ８０２から送信するための所望の周波数帯域を選択するように、Ｔ／Ｒスイッチ８０６を制御することができる。
【００８０】
（たとえば、ＦＤＤ、ＣＤＭＡ、ＷＣＤＭＡ、ＬＴＥおよびＴＤＭＡなど）第２のワイヤレスシステムから受信される信号を処理するとき、ワイヤレスデバイスは、第１のモードで動作するように構成され得る。第１のモードでは、デバイスは、受信ダイバーシティを使用して、第１のアンテナ８０４および第２のアンテナ８０２において受信信号を処理し得る。たとえば、ワイヤレスデバイスは、第１のアンテナ８０４および第２のアンテナ８０２において並行して受信信号を処理することができる。第１のモードである間、デバイスは、第２のアンテナ８０２およびＴ／Ｒスイッチ８０６を介して受信するために選択される周波数経路に対応し得る第１のアンテナ８０４およびＴ／Ｒスイッチ８０８を介した受信フィルタ経路８１６、８１８、８２８を選択することができる。このようにしてフィルタ経路を選択することによって、デバイスは、受信ダイバーシティのために第１および第２のアンテナを使用することができる。
【００８１】
ＬＴＥシステムでは、アンテナ８０２、８０４は、類似の性能を有していなければならない。この場合、同じ受信機経路８１６、８１８は、複数の受信機入力として働くことができる（単一の送信システムの場合、ダイバーシティまたはＭＩＳＯ）。
【００８２】
第１のワイヤレスシステム（たとえば、ＴＤ−ＳＣＤＭＡ、ＧＳＭ、およびＴＤＤ−ＬＴＥ）から受信される信号を処理するとき、ワイヤレスデバイスは、第２の動作モードに切り替えることができる。第２の動作モードでは、ワイヤレスデバイスは、第１のワイヤレスシステムから信号を受信するための第１のアンテナ８０４に接続されたＴ／Ｒスイッチ８０８を使用することができる。このようにして、信号は、第１のアンテナ８０４だけで第１のワイヤレスシステムから受信され得る。
【００８３】
一般的に、サポートされた周波数帯域およびモードの数を増加させることによって、Ｔ／Ｒスイッチ８０６、８０８上の極数が増加する。しかしながら、Ｔ／Ｒスイッチの複雑さを低減しようとして、本開示の態様は、Ｔ／Ｒスイッチ間でトランシーバを分割することができる。
【００８４】
いくつかの態様によれば、ＧＳＭ送信経路８２０、８２２、８２４はＴ／Ｒスイッチ８０６および第２のアンテナ８０２を介し得、一方、ＧＳＭ受信経路は、どの周波数帯域が受信されるかに応じて、同じアンテナ、または第１のアンテナ８０４およびＴ／Ｒスイッチ８０８を介し得る。したがって、ＧＳＭトランシーバは、スイッチの極数を低減するために、２つのアンテナ８０２、８０４および２つのＴ／Ｒスイッチ８０６、８０８を使用することができる。
【００８５】
別の態様によれば、Ｔ／Ｒスイッチ８０６、８０８の極数の低減は、半二重送信および受信にＴ／Ｒスイッチ８０８を使用することによって可能となり得る。たとえば、ＣＤＭＡ、ＬＴＥ、およびＧＳＭ−ＴＤＭＡと同じシステムにおいてＴＤ−ＳＣＤＭＡをサポートする態様において、Ｔ／Ｒスイッチ８０６、８０８の極数のさらなる低減は、ＰＡ８２６を介したＴＤ−ＳＣＤＭＡ送信のため、およびフィルタ８１６、８１８を介した受信のために、Ｔ／Ｒスイッチ８０８を使用することによって可能となり得る。半二重ＴＤ−ＳＣＤＭＡトランシーバをＴ／Ｒスイッチ８０８およびアンテナ８０４に移動させることによって、Ｔ／Ｒスイッチ８０６上の３つまたは４つの極が除去され得る。
【００８６】
Ｔ／Ｒスイッチ８０６、８０８の極数を低減することは、フロントエンドの複雑さを低減することができるだけでなく、Ｔ／Ｒスイッチ挿入損失を改善し、スイッチ線形性による性能の問題を減らすこともできる。挿入損失の低下は、ＰＡ８１２、８２２、および８２６から必要とされる電力量を低減させ得、これは、直流電流の電力消費および熱放散を低減させ得る。
【００８７】
図９に関してより詳細に説明するように、構成要素の配置エリアが問題であり得るシナリオで、様々な構成要素が単一のモジュール内に組み込まれ得る。たとえば、本開示のいくつかの態様は、第１のアンテナに結合された第１のアンテナモジュールと、第２のアンテナに結合された第２のアンテナモジュールとを利用することができる。第１および第２のアンテナモジュールは各々、複数のフィルタと、異なる周波数帯域に対応する少なくとも１つのスイッチとを備え得る。
【００８８】
たとえば、図８のアンテナモジュールは、Ｔ／Ｒスイッチ８０６と、デュプレクサ８１４と、フィルタ８１０とを含むことができる。そのようなモジュールは、かなりのプリント回路板（ＰＣＢ）面積を節約することができる。同様に、図８のＴ／Ｒスイッチ８０８およびフィルタ８１６、８１８は、ＰＣＢ構成要素配置面積をさらに低減するために、別のアンテナモジュールに統合され得る。
【００８９】
図９は、本開示の態様による、フロントエンドモジュールを使用した、半二重トランシーバシステムと全二重トランシーバシステムとの間でアンテナを共有することの例示的な構成９００を示す。アンテナ１モジュール９０８およびアンテナ２モジュール９０６は各々、Ｔ／Ｒスイッチならびに複数のフィルタおよび／またはデュプレクサを備え得る。
【００９０】
図示のように、アンテナ２モジュール９０６は、Ｔ／Ｒスイッチ９１８およびデュプレクサ８１４ａ、８１４ｂ、８１４ｃなどをエリア９０２に含む。Ｔ／Ｒスイッチ９１８（たとえば、単極８投スイッチ）は、エリア９０２内にデュプレクサ８１４ａ、８１４ｂ、８１４ｃなどによって実現される複数のトランシーバを示す。各ＦＤＤトランシーバは、信号経路９０４ａ、９０４ｂ、９０４ｃなどを介してＲＦユニットおよびモデムプロセッサとインターフェースすることができる。
【００９１】
アンテナ１モジュール９０８は、フィルタ９１０、９１２を介した２つの半二重帯域の受信のため、および信号経路９１４を介した１つの半二重帯域の送信のためにＴ／Ｒスイッチ９２０を含むことができる。アンテナ１モジュール９０８は、たとえばＦＤＤ、ＣＤＭＡ、ＷＣＤＭＡ、およびＬＴＥのためのダイバーシティ受信経路など、ダイバーシティ受信経路を含むこともできる。
【００９２】
ワイヤレスデバイスが第２のワイヤレスシステムから受信される信号を処理しており、したがって、第１のモードで動作しているとき、デバイスは、第１のアンテナ８０４に結合された第１のアンテナモジュール９０８における第１のＴ／Ｒスイッチ９２０と、第２のアンテナ８０２に結合された第２のアンテナモジュール９０６における第２のＴ／Ｒスイッチ９１８とを利用することができる。第１および第２のスイッチを使用することによって、第１および第２のワイヤレスシステムの受信経路を選択的に完了することができる。
【００９３】
態様によれば、第２のアンテナ８０２、Ｔ／Ｒスイッチ９１８、およびアンテナ２モジュール９０６は、たとえば、デュプレクサ８１４ａを介してアクティブであり得る。デュプレクサ８１４ａに相当する周波数帯域は、第１のアンテナ８０４を介したダイバーシティ受信のために選択され得る。たとえば、アンテナ８０４、Ｔ／Ｒスイッチ９２０、およびアンテナ１モジュール９０８は、フィルタ９１６を介して第２のワイヤレスシステムの信号を受信することができる。
【００９４】
態様によれば、第１のワイヤレスシステムから受信される信号を処理するとき、ワイヤレスデバイスは、第２の動作モードに切り替わるように構成され得る。第２のモードであるとき、ワイヤレスデバイスは、第１のモードとは異なる方法で、アンテナ１モジュール９０８における第１のＴ／Ｒスイッチ９２０を利用することができる。たとえば、ＴＤ−ＳＣＤＭＡ信号を受信するとき、ワイヤレスデバイスは、半二重周波数帯域の受信のために、Ｔ／Ｒスイッチ９２０と、フィルタ９１０または９１２とを使用することができる。
【００９５】
図１０は、本開示の態様による半二重送信機および半二重受信機が第１および第２のアンテナの間で分割されるアンテナモジュールを有する二重アンテナワイヤレスデバイスの例示的な構成１０００を示す。
【００９６】
態様によれば、アンテナ１モジュール１００４は、Ｔ／Ｒスイッチ１０１２（たとえば単極７投スイッチ）と、複数のフィルタ経路とを含み得る。アンテナ２モジュール１００２は、Ｔ／Ｒスイッチ１０１４（たとえば単極７投スイッチ）と、複数のデュプレクサとを含み得る。
【００９７】
図示のように、ワイヤレスデバイスは、第２のアンテナ８０２だけで第１のワイヤレスシステムから送信される信号を処理することができる。たとえば、ＴＤ−ＳＣＤＭＡ信号は、アンテナ２モジュール１００２および第２のアンテナ８０２に接続することができる信号経路１００６、１００８、および１０１０を介してデバイスから送信され得る。第１のワイヤレスシステムからの信号の受信は、第１のアンテナ８０４、アンテナ１モジュール１００４、およびフィルタ９１０、９１２、９１６を介し得る。
【００９８】
第１のアンテナと第２のアンテナとの間で半二重送信機および半二重受信機を分割することによって、アンテナ１モジュール１００４のＴ／Ｒスイッチ１０１２は、図９のアンテナ１モジュール９０８のＴ／Ｒスイッチ９２０と比較して、より低い線形性を有することができる。したがって、図１０のアンテナ１モジュール１００４は、わずかに小さくてもよい。
【００９９】
図８〜図９を参照しながら上記で説明したように、第２のワイヤレスシステムからの信号の受信は、第１のアンテナ８０４および第２のアンテナ８０２を介し得る。たとえば、ＣＤＭＡ信号は、第２のアンテナ８０２およびアンテナ２モジュール１００２を介して受信され得る。第１のアンテナ８０４における受信ダイバーシティでは、フィルタは、たとえば９１６など、アンテナ１モジュール１００４において選択され得、これは、アンテナ２モジュール１００２において受信するために選択される周波数帯域に等しくてもよい。
【０１００】
本明細書で説明したように、本開示の態様は、半二重時分割多元接続ネットワーク、ならびにＦＤＤ、ＣＤＭＡ、ＷＣＤＭＡ、ＬＴＥ、およびＴＤＭＡネットワークにわたって動作するように設計されたモバイルデバイスのフロントエンドＴ／Ｒスイッチの複雑さを低減する。ワイヤレスデバイスは、第１のアンテナだけで第１のワイヤレスシステムの信号を処理すると同時に、受信ダイバーシティを使用して、第１および第２のアンテナにおける第２のワイヤレスシステムの信号を処理することができる。
【０１０１】
一態様によれば、図１０に示すように、半二重時分割二重送信機および半二重時分割受信機は、第１のアンテナと第２のアンテナとの間で分割され得る。たとえば、ワイヤレスデバイスは、第２のアンテナだけで第１のワイヤレスシステムから送信される信号を処理することができる。図９〜図１０に示すように、フロントエンドアンテナモジュールは、より安価で、より小さいフロントエンドモジュールを可能にし得る。
【０１０２】
明快のために、トランシーバシステムの様々な特定の実施形態は、ＣＤＭＡ、ＧＳＭおよびＧＰＳについて説明した。トランシーバシステムは、信号経路のうちのいくつかを主アンテナに、残りの信号経路をダイバーシティアンテナに結合するトランシーバアーキテクチャを使用する。このトランシーバアーキテクチャは、トランシーバシステムの複雑さを低減し、性能を向上させる。トランシーバシステムの他の実施形態は、本明細書で提供する説明に基づいて設計することもできる。
【０１０３】
本明細書で説明するトランシーバシステムは、ワイヤレスデバイスおよび基地局に使用され得る。トランシーバシステムは、たとえばＣＤＭＡシステム、ＴＤＭＡシステム（たとえば、ＧＳＭシステム）、ＡＭＰＳシステム、多入力多出力（ＭＩＭＯ）システム、直交周波数分割多重化（ＯＦＤＭ）ベースのワイヤレスシステム、ワイヤレスローカルエリアネットワーク（ＷＬＡＮ）など、様々なワイヤレスシステムに使用することもできる。
【０１０４】
トランシーバシステムは、１つまたは複数のＲＦＩＣ上で、および／または個別構成要素で実施され得る。送信および受信経路に使用されるフィルタは、通常は個別構成要素であるＳＡＷフィルタである。ＲＦユニット内のＬＮＡ、電力増幅器、および回路は、１つまたは複数のＲＦＩＣ上で実施することができる。ＲＦＩＣはまた、相補型金属酸化物半導体（ＣＭＯＳ）、バイポーラ接合トランジスタ（ＢＪＴ）、バイポーラＣＭＯＳ（ＢｉＣＭＯＳ）、シリコンゲルマニウム（ＳｉＧｅ）、ガリウムヒ素（ＧａＡｓ）など、様々なＩＣプロセス技術で製造され得る。
【０１０５】
開示した実施形態の前述の説明は、当業者が本発明を実施または使用できるようにするために提供されるものである。これらの実施形態への様々な修正は当業者には容易に明らかであり、本明細書で定義した一般原理は、本発明の趣旨または範囲から逸脱することなく他の実施形態に適用できる。したがって、本発明は、本明細書に示す実施形態に限定されるものではなく、本明細書で開示する原理および新規の特徴と一致する最も広い範囲を与えられるべきある。
【図１】
2014509496.tif 000005
【図２】
2014509496.tif 000006
【図３】
2014509496.tif 000007
【図４】
2014509496.tif 000008
【図５】
2014509496.tif 000009
【図６】
2014509496.tif 000010
【図７Ａ】
2014509496.tif 000011
【図７Ｂ】
2014509496.tif 000012
【図８】
2014509496.tif 000013
【図９】
2014509496.tif 000014
【図１０】
2014509496.tif 000015
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
少なくとも第１および第２のアンテナと、
前記第１のアンテナだけで第１のワイヤレスシステムから受信される信号を処理することであって、前記第１のワイヤレスシステムが、時分割同期符号分割多元接続（ＴＤ−ＳＣＤＭＡ）、および時分割複信ロングタームエボリューション（ＴＤＤ−ＬＴＥ）のうちの少なくとも１つを備えることと、
受信ダイバーシティを使用して前記第１および第２のアンテナで第２のワイヤレスシステムから受信される信号を処理することであって、前記第２のワイヤレスシステムが、ロングタームエボリューション（ＬＴＥ）および時分割多元接続（ＴＤＭＡ）のうちの少なくとも１つを備えることと
のための少なくとも１つのプロセッサと
を備えるワイヤレスデバイス。
【請求項２】
前記第２のアンテナだけで前記第１のワイヤレスシステムから送信される信号を処理すること
をさらに備える、請求項１に記載のワイヤレスデバイス。
【請求項３】
前記ワイヤレスデバイスの動作モードに基づいて前記第１および第２のワイヤレスシステムの前記受信経路を選択的に完了するために、前記第１のアンテナに結合された第１のスイッチと、前記第２のアンテナに結合された第２のスイッチとをさらに備える、請求項１に記載のワイヤレスデバイス。
【請求項４】
前記ワイヤレスデバイスが、前記第２のワイヤレスシステムから受信される信号を処理するとき、第１のモードで動作するように構成され、
前記ワイヤレスデバイスが、前記第２のアンテナにおける受信のために選択されたフィルタ経路と同じ周波数帯域に対応する前記第１のアンテナにおける受信のためのフィルタ経路を選択するように構成される、
請求項１に記載のワイヤレスデバイス。
【請求項５】
前記ワイヤレスデバイスが、前記第１のワイヤレスシステムから受信される信号を処理するとき、第２のモードに切り替えるように構成される、請求項４に記載のワイヤレスデバイス。
【請求項６】
前記ワイヤレスデバイスが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ように構成される、請求項５に記載のワイヤレスデバイス。
【請求項７】
前記第１および第２のアンテナモジュールが各々、少なくとも１つのスイッチと、異なる周波数帯域に対応する複数のフィルタとを備える、請求項６に記載のワイヤレスデバイス。
【請求項８】
少なくとも第１および第２のアンテナと、
前記第１のアンテナだけで第１のワイヤレスシステムから受信される信号を処理するための手段であって、前記第１のワイヤレスシステムが、時分割同期符号分割多元接続（ＴＤ−ＳＣＤＭＡ）、および時分割複信ロングタームエボリューション（ＴＤＤ−ＬＴＥ）のうちの少なくとも１つを備える手段と、
受信ダイバーシティを使用して前記第１および第２のアンテナで第２のワイヤレスシステムから受信される信号を処理するための手段であって、前記第２のワイヤレスシステムが、ロングタームエボリューション（ＬＴＥ）および時分割多元接続（ＴＤＭＡ）のうちの少なくとも１つを備える手段と
を備えるワイヤレスデバイス。
【請求項９】
前記第２のアンテナだけで前記第１のワイヤレスシステムから送信される信号を処理するための手段
をさらに備える、請求項８に記載のワイヤレスデバイス。
【請求項１０】
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了するための手段とをさらに備える、請求項８に記載のワイヤレスデバイス。
【請求項１１】
前記第２のワイヤレスシステムから受信される信号を処理するとき、第１のモードで動作するための手段と、
前記第２のアンテナにおける受信のために選択されたフィルタ経路と同じ周波数帯域に対応する前記第１のアンテナにおける受信のためのフィルタ経路を選択するための手段と
をさらに備える、請求項８に記載のワイヤレスデバイス。
【請求項１２】
前記第１のワイヤレスシステムから受信される信号を処理するとき、第２のモードに切り替えるための手段
をさらに備える、請求項１１に記載のワイヤレスデバイス。
【請求項１３】
前記第１のモードで、前記第１のアンテナに結合された第１のアンテナモジュールにおける第１のスイッチ、および前記第２のアンテナに結合された第２のアンテナモジュールにおける第２のスイッチを利用するための手段と、
前記第２のモードで、前記第１のモードとは異なる方法で、前記第１のアンテナモジュールにおける前記第１のスイッチを利用するための手段と
をさらに備える、請求項１２に記載のワイヤレスデバイス。
【請求項１４】
前記第１および第２のアンテナモジュールが各々、少なくとも１つのスイッチと、異なる周波数帯域に対応する複数のフィルタとを備える、請求項１３に記載のワイヤレスデバイス。
【請求項１５】
少なくとも第１および第２のアンテナと、
前記第１のアンテナだけで第１のワイヤレスシステムから受信される信号を処理し、前記第１のワイヤレスシステムが、時分割同期符号分割多元接続（ＴＤ−ＳＣＤＭＡ）、および時分割複信ロングタームエボリューション（ＴＤＤ−ＬＴＥ）のうちの少なくとも１つを備え、
受信ダイバーシティを使用して前記第１および第２のアンテナで第２のワイヤレスシステムから受信される信号を処理し、前記第２のワイヤレスシステムが、ロングタームエボリューション（ＬＴＥ）および時分割多元接続（ＴＤＭＡ）のうちの少なくとも１つを備える
ように構成される無線周波数（ＲＦ）ユニットと
を備えるユーザ機器。
【請求項１６】
前記ＲＦユニットが、
前記第２のアンテナだけで前記第１のワイヤレスシステムから送信される信号を処理する
ようにさらに構成される、請求項１５に記載のユーザ機器。
【請求項１７】
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了することとをさらに備える、請求項１５に記載のユーザ機器。
【請求項１８】
前記ＲＦユニットが、
第１のモードにおいて前記第２のワイヤレスシステムから受信される信号を処理し、
前記第２のアンテナにおける受信のために選択されたフィルタ経路と同じ周波数帯域に対応する前記第１のアンテナにおける受信のためのフィルタ経路を選択する
ように構成される、請求項１５に記載のユーザ機器。
【請求項１９】
前記ＲＦユニットが、
前記第１のワイヤレスシステムから受信される信号を処理するとき、第２のモードに切り替える
ようにさらに構成される、請求項１８に記載のユーザ機器。
【請求項２０】
前記ＲＦユニットが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ようにさらに構成される、請求項１９に記載のユーザ機器。
【請求項２１】
前記第１および第２のアンテナモジュールが各々、少なくとも１つのスイッチと、異なる周波数帯域に対応する複数のフィルタとを備える、請求項２０に記載のユーザ機器。
【手続補正２】
【補正対象書類名】明細書
【補正対象項目名】０１０５
【補正方法】変更
【補正の内容】
【０１０５】
開示した実施形態の前述の説明は、当業者が本発明を実施または使用できるようにするために提供されるものである。これらの実施形態への様々な修正は当業者には容易に明らかであり、本明細書で定義した一般原理は、本発明の趣旨または範囲から逸脱することなく他の実施形態に適用できる。したがって、本発明は、本明細書に示す実施形態に限定されるものではなく、本明細書で開示する原理および新規の特徴と一致する最も広い範囲を与えられるべきある。
以下に、本願出願の当初の特許請求の範囲に記載された発明を付記する。
［Ｃ１］
少なくとも第１および第２のアンテナと、
前記第１のアンテナだけで第１のワイヤレスシステムから受信される信号を処理し、
受信ダイバーシティを使用して前記第１および第２のアンテナで第２のワイヤレスシステムから受信される信号を処理する
ための少なくとも１つのプロセッサと
を備えるワイヤレスデバイス。
［Ｃ２］
前記第２のアンテナだけで前記第１のワイヤレスシステムから送信される信号を処理すること
をさらに備える、Ｃ１に記載のワイヤレスデバイス。
［Ｃ３］
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、Ｃ１に記載のワイヤレスデバイス。
［Ｃ４］
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、Ｃ１に記載のワイヤレスデバイス。
［Ｃ５］
前記ワイヤレスデバイスの動作モードに基づいて前記第１および第２のワイヤレスシステムの前記受信経路を選択的に完了するために、前記第１のアンテナに結合された第１のスイッチと、前記第２のアンテナに結合された第２のスイッチとをさらに備える、Ｃ１に記載のワイヤレスデバイス。
［Ｃ６］
前記ワイヤレスデバイスが、前記第２のワイヤレスシステムから受信される信号を処理するとき、第１のモードで動作するように構成され、
前記ワイヤレスデバイスが、前記第２のアンテナにおける受信のために選択されたフィルタ経路と同じ周波数帯域に対応する前記第１のアンテナにおける受信のためのフィルタ経路を選択するように構成される、
Ｃ１に記載のワイヤレスデバイス。
［Ｃ７］
前記ワイヤレスデバイスが、前記第１のワイヤレスシステムから受信される信号を処理するとき、第２のモードに切り替えるように構成される、Ｃ６に記載のワイヤレスデバイス。
［Ｃ８］
前記ワイヤレスデバイスが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ように構成される、Ｃ７に記載のワイヤレスデバイス。
［Ｃ９］
前記第１および第２のアンテナモジュールが各々、少なくとも１つのスイッチと、異なる周波数帯域に対応する複数のフィルタとを備える、Ｃ８に記載のワイヤレスデバイス。
［Ｃ１０］
少なくとも第１および第２のアンテナと、
前記第１のアンテナだけで第１のワイヤレスシステムから受信される信号を処理するための手段と、
受信ダイバーシティを使用して前記第１および第２のアンテナで第２のワイヤレスシステムから受信される信号を処理するための手段と
を備えるワイヤレスデバイス。
［Ｃ１１］
前記第２のアンテナだけで前記第１のワイヤレスシステムから送信される信号を処理するための手段
をさらに備える、Ｃ１０に記載のワイヤレスデバイス。
［Ｃ１２］
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、Ｃ１０に記載のワイヤレスデバイス。
［Ｃ１３］
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、Ｃ１０に記載のワイヤレスデバイス。
［Ｃ１４］
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了するための手段とをさらに備える、Ｃ１０に記載のワイヤレスデバイス。
［Ｃ１５］
前記第２のワイヤレスシステムから受信される信号を処理するとき、第１のモードで動作するための手段と、
前記第２のアンテナにおける受信のために選択されたフィルタ経路と同じ周波数帯域に対応する前記第１のアンテナにおける受信のためのフィルタ経路を選択するための手段と
をさらに備える、Ｃ１０に記載のワイヤレスデバイス。
［Ｃ１６］
前記第１のワイヤレスシステムから受信される信号を処理するとき、第２のモードに切り替えるための手段
をさらに備える、Ｃ１５に記載のワイヤレスデバイス。
［Ｃ１７］
前記第１のモードで、前記第１のアンテナに結合された第１のアンテナモジュールにおける第１のスイッチ、および前記第２のアンテナに結合された第２のアンテナモジュールにおける第２のスイッチを利用するための手段と、
前記第２のモードで、前記第１のモードとは異なる方法で、前記第１のアンテナモジュールにおける前記第１のスイッチを利用するための手段と
をさらに備える、Ｃ１６に記載のワイヤレスデバイス。
［Ｃ１８］
前記第１および第２のアンテナモジュールが各々、少なくとも１つのスイッチと、異なる周波数帯域に対応する複数のフィルタとを備える、Ｃ１７に記載のワイヤレスデバイス。
［Ｃ１９］
少なくとも第１および第２のアンテナと、
前記第１のアンテナだけで第１のワイヤレスシステムから受信される信号を処理し、
受信ダイバーシティを使用して前記第１および第２のアンテナで第２のワイヤレスシステムから受信される信号を処理する
ように構成される無線周波数（ＲＦ）ユニットと
を備えるユーザ機器。
［Ｃ２０］
前記ＲＦユニットが、
前記第２のアンテナだけで前記第１のワイヤレスシステムから送信される信号を処理する
ようにさらに構成される、Ｃ１９に記載のユーザ機器。
［Ｃ２１］
前記第１のワイヤレスシステムが、
時分割同期符号分割多元接続（ＴＤ−ＳＣＤＭＡ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）、および時分割複信ロングタームエボリューション（ＴＤＤ−ＬＴＥ）
のうちの少なくとも１つを備える、Ｃ１９に記載のユーザ機器。
［Ｃ２２］
前記第２のワイヤレスシステムが、
周波数分割複信（ＦＤＤ）、符号分割多元接続（ＣＤＭＡ）、広帯域符号分割多元接続（ＷＣＤＭＡ）、ロングタームエボリューション（ＬＴＥ）、および時分割多元接続（ＴＤＭＡ）
のうちの少なくとも１つを備える、Ｃ１９に記載のユーザ機器。
［Ｃ２３］
前記第１のアンテナに結合された第１のスイッチと、前記第２のアンテナに結合された第２のスイッチと、前記ワイヤレスデバイスの動作モードに基づいて前記第１および第２のワイヤレスシステムの前記受信経路を選択的に完了することとをさらに備える、Ｃ１９に記載のユーザ機器。
［Ｃ２４］
前記ＲＦユニットが、
第１のモードにおいて前記第２のワイヤレスシステムから受信される信号を処理し、
前記第２のアンテナにおける受信のために選択されたフィルタ経路と同じ周波数帯域に対応する前記第１のアンテナにおける受信のためのフィルタ経路を選択する
ように構成される、Ｃ１９に記載のユーザ機器。
［Ｃ２５］
前記ＲＦユニットが、
前記第１のワイヤレスシステムから受信される信号を処理するとき、第２のモードに切り替える
ようにさらに構成される、Ｃ２４に記載のユーザ機器。
［Ｃ２６］
前記ＲＦユニットが、
前記第１のモードで、前記第１のアンテナに結合された第１のアンテナモジュールにおける第１のスイッチ、および前記第２のアンテナに結合された第２のアンテナモジュールにおける第２のスイッチを利用し、
前記第２のモードで、前記第１のモードとは異なる方法で、前記第１のアンテナモジュールにおける前記第１のスイッチを利用する
ようにさらに構成される、Ｃ２５に記載のユーザ機器。
［Ｃ２７］
前記第１および第２のアンテナモジュールが各々、少なくとも１つのスイッチと、異なる周波数帯域に対応する複数のフィルタとを備える、Ｃ２６に記載のユーザ機器。
【国際調査報告】
2014509496.tif 000016
2014509496.tif 000017